(57)【特許請求の範囲】
【請求項１】
無線通信システム内に存在するＭ（Ｍは２以上の整数）個の基地局のうち、Ｋ（Ｋは２以上の整数）個の端末装置によってウェイクアップされたｍ（ｍは、１≦ｍ≦Ｍを満たす整数）個の基地局から前記ｍ個の基地局が起動したことを示す起動信号、または接続要求を受信したことを示す接続要求信号を受信する受信手段と、
前記Ｋ個の端末装置が接続可能な基地局を示す接続可能リストと、前記Ｋ個の端末装置におけるＫ個の受信信号強度と、各端末装置が要求する最低の送信速度であるＫ個の要求最低速度とを記憶する記憶手段と、
前記起動信号または前記接続要求信号に応じて、前記接続可能リスト、前記Ｋ個の受信信号強度および前記Ｋ個の要求最低速度に基づいて、前記Ｋ個の端末装置の全てが自己の前記要求最低速度にできる限り近い送信速度で前記ｍ個の基地局のいずれかと無線通信を行うための前記ｍ個の基地局と前記Ｋ個の端末装置との接続関係を示すリンク情報を作成する作成手段と、
前記作成手段によって作成された前記リンク情報に基づいて、任意の１つの端末装置である第１の端末装置との間で唯一の無線通信リンクのみを有する基地局を稼動基地局とする第１の条件、稼動基地局とした基地局に接続可能である端末装置の前記稼動基地局以外の基地局とのリンクを前記リンク情報から削除する第２の条件、端末装置との間で無線通信リンクを持たない基地局をスリープ基地局とする第３の条件、および端末装置との間で最も多くの無線通信リンクを有する基地局を前記稼動基地局とする第４の条件を順次実行するとともに前記第２から第４の条件を繰り返し実行して、前記ｍ個の基地局から前記稼動基地局と前記スリープ基地局とを決定する決定手段と、
前記決定手段によって前記稼動基地局と決定された基地局が稼動し、前記決定手段によって前記スリープ基地局と決定された基地局がスリープするように前記ｍ個の基地局を制御する制御手段とを備える制御装置。
【請求項２】
前記決定手段は、前記第４の条件の実行時に、端末装置との無線通信リンクが同数である基地局が複数個存在するとき、ある１つの基地局における消費電力と、前記１つの基地局との間で無線通信リンクを有する全ての端末装置における消費電力との和が最小である基地局を前記稼動基地局と決定する、請求項１に記載の制御装置。
【請求項３】
無線通信システム内に存在するＭ（Ｍは２以上の整数）個の基地局のうち、Ｋ（Ｋは２以上の整数）個の端末装置によってウェイクアップされたｍ（ｍは、１≦ｍ≦Ｍを満たす整数）個の基地局から前記ｍ個の基地局が起動したことを示す起動信号、または接続要求を受信したことを示す接続要求信号を受信する受信手段と、
前記Ｋ個の端末装置が接続可能な基地局を示す接続可能リストと、前記Ｋ個の端末装置におけるＫ個の受信信号強度と、各端末装置が要求する最低の送信速度であるＫ個の要求最低速度とを記憶する記憶手段と、
前記起動信号または前記接続要求信号に応じて、前記接続可能リスト、前記Ｋ個の受信信号強度および前記Ｋ個の要求最低速度に基づいて、前記Ｋ個の端末装置の全てが自己の前記要求最低速度にできる限り近い送信速度で前記ｍ個の基地局のいずれかと無線通信を行うための前記ｍ個の基地局と前記Ｋ個の端末装置との接続関係を示すリンク情報を作成する作成手段と、
前記作成手段によって作成された前記リンク情報に基づいて、任意の１つの端末装置である第１の端末装置との間で唯一の無線通信リンクのみを有する基地局を稼動基地局とする第１の条件、稼動基地局とした基地局に接続可能である端末装置の前記稼動基地局以外の基地局とのリンクを前記リンク情報から削除する第２の条件、端末装置との間で無線通信リンクを持たない基地局をスリープ基地局とする第３の条件、および端末装置との間で最も少ない無線通信リンクを有する基地局を前記スリープ基地局とし、そのスリープ基地局とした基地局に接続可能な無線通信リンクを前記リンク情報から削除する第４の条件を順次実行するとともに前記第２から第４の条件を繰り返し実行して、前記ｍ個の基地局から前記稼動基地局と前記スリープ基地局とを決定する決定手段と、
前記決定手段によって前記稼動基地局と決定された基地局が稼動し、前記決定手段によって前記スリープ基地局と決定された基地局がスリープするように前記ｍ個の基地局を制御する制御手段とを備える制御装置。
【請求項４】
前記決定手段は、前記第４の条件の実行時に、端末装置との無線通信リンクが同数である基地局が複数個存在するとき、ある１つの基地局における消費電力と、前記１つの基地局との間で無線通信リンクを有する全ての端末装置における消費電力との和が最大である基地局を前記スリープ基地局と決定する、請求項３に記載の制御装置。
【請求項５】
前記決定手段は、任意の１つの端末装置である第２の端末装置との間でリンクを有する基地局が前記稼動基地局と決定された基地局よりも遠くに存在するとき、前記第２の端末装置の接続先を前記稼動基地局と決定された基地局に切り換える第５の条件を前記第４の条件の後に実行するとともに、前記第２から第５の条件を繰り返し実行して、前記複数の基地局から前記稼動基地局と前記スリープ基地局とを決定する、請求項４に記載の制御装置。
【請求項６】
前記決定手段は、前記第４の条件の実行時に、端末装置との無線通信リンクが同数である基地局が複数個存在するとき、その複数個の基地局からランダムに選択した基地局を前記稼動基地局または前記スリープ基地局と決定する、請求項１または請求項３に記載の制御装置。
【請求項７】
前記記憶手段は、新たな端末装置が前記無線通信システムに参入し、または端末装置が前記無線通信システムから離脱することによって、前記Ｋ個の端末装置がＮ（Ｎ＝１，２，３，・・・）個の端末装置になると、前記Ｎ個の端末装置が接続可能な基地局を示し、かつ、更新された接続可能リストと、前記Ｎ個の受信信号強度と、前記Ｎ個の端末装置におけるＮ個の要求最低速度とを記憶し、
前記作成手段は、前記更新された接続可能リスト、前記Ｎ個の受信信号強度および前記Ｎ個の要求最低速度に基づいて、前記Ｎ個の端末装置の全てが自己の前記要求最低速度にできる限り近い送信速度で前記ｍ個の基地局のいずれかと無線通信を行うための前記ｍ個の基地局と前記Ｎ個の端末装置との接続関係を示す更新リンク情報を作成し、
前記決定手段は、前記更新リンク情報に基づいて、前記第１から第４の条件を順次実行するとともに前記第２から第４の条件を繰り返し実行して、前記ｍ個の基地局から前記稼動基地局と前記スリープ基地局とを決定し、
前記制御手段は、前記決定手段によって前記稼動基地局と決定された基地局が稼動し、前記決定手段によって前記スリープ基地局と決定された基地局がスリープするように前記ｎ個の基地局を制御する、請求項１または請求項３に記載の制御装置。
【請求項８】
前記作成手段は、各端末装置の前記要求最低速度を満たす基地局を接続可能な基地局とし、前記要求最低速度を満たす基地局が存在しないとき、最も高い送信速度が得られる基地局を前記接続可能な基地局とすることによって、前記リンク情報または前記更新リンク情報を作成する、請求項１から請求項７のいずれか１項に記載の制御装置。
【請求項９】
Ｍ（Ｍは２以上の整数）個の基地局と、
各々が前記Ｍ個の基地局のいずれかにアクセスするＫ（Ｋは２以上の整数）個の端末装置と、
前記Ｍ個の基地局のうち、前記Ｋ個の端末装置によってウェイクアップされたｍ（ｍは、１≦ｍ≦Ｍを満たす整数）個の基地局から稼動基地局とスリープ基地局とを決定し、前記稼動基地局と決定された基地局が稼動し、前記スリープ基地局と決定された基地局がスリープするように前記ｍ個の基地局を制御する制御装置とを備え、
前記制御装置は、請求項１から請求項８のいずれか１項に記載の制御装置からなる、無線通信システム。
【請求項１０】
前記Ｋ個の端末装置の各々は、前記制御装置によって決定された稼動基地局のうち、自己との受信信号強度が最も大きい稼動基地局または消費電力が最も少ない稼動基地局へ接続先を変更する、請求項９に記載の無線通信システム。
【発明の詳細な説明】
【技術分野】
【０００１】
この発明は、制御装置およびそれを備えた無線通信システムに関するものである。
【背景技術】
【０００２】
従来、基地局と、基地局にアクセスする端末装置とからなる無線通信システムにおいて、基地局における省電力を考慮しながら基地局のカバレッジを保持することが行われている（非特許文献１）。
【０００３】
即ち、非特許文献１に開示された方法は、無線通信システム内の全ての基地局が起動している場合のカバレッジ（面積）を保持したまま、余分な基地局をスリープさせる。
【０００４】
一方、無線通信を開始するとき、接続しようとする基地局がスリープ状態であれば、その基地局をウェイクアップさせる無線システムがある（非特許文献２，３）。
【先行技術文献】
【非特許文献】
【０００５】
【非特許文献１】Amit P. Jardosh, Konstantina Papagiannaki, Elizabeth M. Belding, Kevin C. Almeroth, Gianluca Iannaccone, Bapi Vinnakota, “Green WLANs: On-Demand WLAN Infrastructures,” Mobile Netw Appl. DOI 10.1007/s11036-008-0123-8.
【非特許文献２】伊藤哲也, 近藤良久, 阪田史郎, 池永全志, 四方博之“無駄な消費電力を削減するRadio-On-Demand Networks概要”信学総体2011(B-6-132).
【非特許文献３】近藤良久, 四方博之, 湯素華, 田中利康, 岩井優仁, 筒井英夫, 小花貞夫“無線LAN信号を用いたオンデマンドウェイクアップ方式”信学技報NS2010-185(2011-03)．
【発明の概要】
【発明が解決しようとする課題】
【０００６】
非特許文献２，３における端末装置は、無線通信システムに参入し、無線通信を開始するとき、接続しようとする基地局がスリープ状態であれば、その基地局をウェイクアップさせる。そして、端末装置によってウェイクアップされない基地局は、スリープした状態を保持する。従って、無線通信システム内の全ての基地局が起動しているとは限らず、一部の基地局だけが起動している場合も想定される。
【０００７】
しかし、非特許文献１に開示された方法は、無線通信システム内の全ての基地局が起動している場合のカバレッジ（面積）を保持したまま、余分な基地局をスリープさせるので、無線通信システム内の一部の基地局だけが起動している場合に、稼動させる基地局とスリープさせる基地局とを決定することが困難であるという問題がある。端末装置は、無線通信を開始するとき、基地局をウェイクアップさせるので、この問題は、無線通信システム内に存在する全ての端末装置の起動している基地局への接続を確保するための必要最小限の基地局を決定することが困難であるという問題に帰着する。
【０００８】
そこで、この発明は、かかる問題を解決するためになされたものであり、その目的は、無線通信システム内に存在する全ての端末装置の起動している基地局への接続を確保するための必要最小限の基地局を決定可能な制御装置を提供することである。
【０００９】
また、この発明の別の目的は、無線通信システム内に存在する全ての端末装置の起動している基地局への接続を確保するための必要最小限の基地局を決定可能な制御装置を備える無線通信システムを提供することである。
【課題を解決するための手段】
【００１０】
この発明の実施の形態によれば、制御装置は、受信手段と、記憶手段と、作成手段と、決定手段と、制御手段とを備える。受信手段は、無線通信システム内に存在するＭ（Ｍは２以上の整数）個の基地局のうち、Ｋ（Ｋは２以上の整数）個の端末装置によってウェイクアップされたｍ（ｍは、１≦ｍ≦Ｍを満たす整数）個の基地局からｍ個の基地局が起動したことを示す起動信号、または接続要求を受信したことを示す接続要求信号を受信する。記憶手段は、Ｋ個の端末装置が接続可能な基地局を示す接続可能リストと、Ｋ個の端末装置におけるＫ個の受信信号強度、各端末装置が要求する最低の送信速度であるＫ個の要求最低速度とを記憶する。作成手段は、起動信号または接続要求信号に応じて、接続可能リスト、Ｋ個の受信信号強度およびＫ個の要求最低速度に基づいて、Ｋ個の端末装置の全てが自己の要求最低速度にできる限り近い送信速度でｍ個の基地局のいずれかと無線通信を行うためのｍ個の基地局とＫ個の端末装置との接続関係を示すリンク情報を作成する。決定手段は、作成手段によって作成されたリンク情報に基づいて、任意の１つの端末装置である第１の端末装置との間で唯一の無線通信リンクのみを有する基地局を稼動基地局とする第１の条件、稼動基地局とした基地局に接続可能である端末装置の稼動基地局以外の基地局とのリンクをリンク情報から削除する第２の条件、端末装置との間で無線通信リンクを持たない基地局をスリープ基地局とする第３の条件、および端末装置との間で最も多くの無線通信リンクを有する基地局を稼動基地局とする第４の条件を順次実行するとともに第２から第４の条件を繰り返し実行して、ｍ個の基地局から稼動基地局とスリープ基地局とを決定する。制御手段は、決定手段によって稼動基地局と決定された基地局が稼動し、決定手段によってスリープ基地局と決定された基地局がスリープするようにｍ個の基地局を制御する。
【００１１】
また、この発明の実施の形態によれば、制御装置は、受信手段と、記憶手段と、作成手段と、決定手段と、制御手段とを備える。受信手段は、無線通信システム内に存在するＭ（Ｍは２以上の整数）個の基地局のうち、Ｋ（Ｋは２以上の整数）個の端末装置によってウェイクアップされたｍ（ｍは、１≦ｍ≦Ｍを満たす整数）個の基地局からｍ個の基地局が起動したことを示す起動信号、または接続要求を受信したことを示す接続要求信号を受信する。記憶手段は、Ｋ個の端末装置が接続可能な基地局を示す接続可能リストと、Ｋ個の端末装置におけるＫ個の受信信号強度と、各端末装置が要求する最低の送信速度であるＫ個の要求最低速度とを記憶する。作成手段は、起動信号または接続要求信号に応じて、接続可能リスト、Ｋ個の受信信号強度およびＫ個の要求最低速度に基づいて、Ｋ個の端末装置の全てが自己の要求最低速度にできる限り近い送信速度でｍ個の基地局のいずれかと無線通信を行うためのｍ個の基地局とＫ個の端末装置との接続関係を示すリンク情報を作成する。決定手段は、作成手段によって作成されたリンク情報に基づいて、任意の１つの端末装置である第１の端末装置との間で唯一の無線通信リンクのみを有する基地局を稼動基地局とする第１の条件、稼動基地局とした基地局に接続可能である端末装置の稼動基地局以外の基地局とのリンクをリンク情報から削除する第２の条件、端末装置との間で無線通信リンクを持たない基地局をスリープ基地局とする第３の条件、および端末装置との間で最も少ない無線通信リンクを有する基地局をスリープ基地局とし、そのスリープ基地局とした基地局に接続可能な無線通信リンクをリンク情報から削除する第４の条件を順次実行するとともに第２から第４の条件を繰り返し実行して、ｍ個の基地局から稼動基地局とスリープ基地局とを決定する。制御手段は、決定手段によって稼動基地局と決定された基地局が稼動し、決定手段によってスリープ基地局と決定された基地局がスリープするようにｍ個の基地局を制御する。
【００１２】
更に、この発明の実施の形態によれば、無線通信システムは、Ｍ（Ｍは２以上の整数）個の基地局と、Ｋ（Ｋは２以上の整数）個の端末装置と、制御装置とを備える。Ｋ個の端末装置の各々は、Ｍ個の基地局のいずれかにアクセスする。制御装置は、Ｍ個の基地局のうち、Ｋ個の端末装置によってウェイクアップされたｍ（ｍは、１≦ｍ≦Ｍを満たす整数）個の基地局から稼動基地局とスリープ基地局とを決定し、稼動基地局と決定された基地局が稼動し、スリープ基地局と決定された基地局がスリープするようにｍ個の基地局を制御する。そして、制御装置は、請求項１から請求項８のいずれか１項に記載の制御装置からなる。
【発明の効果】
【００１３】
この発明の実施の形態による制御装置は、第１の条件を適用することによって、ｍ個の基地局が配置された領域の端部近くに存在する端末装置も基地局（ｍ個の基地局のいずれか）との間で無線通信リンクを確保する。また、制御装置は、第２〜第４の条件を適用することによって、できるだけ多くの端末装置と稼動基地局との間で無線通信リンクを確立し、不要な基地局をスリープさせる。そして、制御装置が第２〜第４の条件を繰り返し実行することによって、全ての端末装置の基地局への接続が確保され、稼動すべき基地局の個数が最小になる。
【００１４】
従って、無線通信システム内に存在するＫ個の端末装置の全ての起動している基地局への接続を確保するための必要最小限の基地局を決定できる。
【００１５】
また、この発明の実施の形態による無線通信システムにおいて、制御装置は、上述した第１〜第４の条件を適用してｍ個の基地局から稼動基地局とスリープ基地局とを決定し、稼動基地局と決定された基地局が稼動し、スリープ基地局と決定された基地局がスリープするようにｍ個の基地局を制御する。
【００１６】
従って、無線通信システム内に存在するＫ個の端末装置の全ての起動している基地局への接続を確保するための必要最小限の基地局を決定できる。
【図面の簡単な説明】
【００１７】
【図１】この発明の実施の形態による無線通信システムの概略図である。
【図２】図１に示す基地局の構成を示すブロック図である。
【図３】図１に示す端末装置の構成を示すブロック図である。
【図４】図１に示す制御装置の構成を示すブロック図である。
【図５】図４に示す記憶手段における記憶内容の概念図である。
【図６】接続可能リストの具体例を示す図である。
【図７】稼働基地局およびスリープ基地局の決定方法を説明するための概念図である。
【図８】図４に示す記憶手段における他の記憶内容の概念図である。
【図９】接続可能リストの他の具体例を示す図である。
【図１０】稼働基地局およびスリープ基地局の他の決定方法を説明するための第１の概念図である。
【図１１】稼働基地局およびスリープ基地局の他の決定方法を説明するための第２の概念図である。
【図１２】稼働基地局およびスリープ基地局の更に他の決定方法を説明するための概念図である。
【図１３】稼働基地局およびスリープ基地局の更に他の決定方法を説明するための概念図である。
【図１４】無線通信システムにおける動作を説明するためのフローチャートである。
【図１５】図１４に示すステップＳ１１の詳細な動作を説明するためのフローチャートである。
【図１６】図１４に示すステップＳ１１の他の詳細な動作を説明するためのフローチャートである。
【図１７】図１４に示すステップＳ１１の更に他の詳細な動作を説明するためのフローチャートである。
【図１８】端末装置が無線通信システムから離脱したときの動作を説明するためのフローチャートである。
【発明を実施するための形態】
【００１８】
本発明の実施の形態について図面を参照しながら詳細に説明する。なお、図中同一または相当部分には同一符号を付してその説明は繰返さない。また、基地局および端末装置をそれぞれＩＥＥＥ８０２．１１で規定されるＡＰ，ＳＴＡを例として説明するが、本発明の適応範囲は、その形態に限定されない。
【００１９】
図１は、この発明の実施の形態による無線通信システムの概略図である。図１を参照して、この発明の実施の形態による無線通信システム１００は、基地局１〜Ｍ（Ｍは、２以上の整数）と、端末装置１１〜１Ｋ（Ｋは２以上の整数）と、制御装置２０とを備える。
【００２０】
基地局１〜Ｍは、有線ケーブル３０を介して制御装置２０に接続される。基地局１〜Ｍのうち、ｍ（ｍは、１≦ｍ≦Ｍを満たす整数）個の基地局は、端末装置（＝端末装置１１〜１Ｋの少なくとも１つ）からのウェイクアップ信号によってウェイクアップされ、または起動状態にあるときに端末装置（＝端末装置１１〜１Ｋの少なくとも１つ）からのプローブリクエストフレームによる接続要求を受ける。そして、ｍ個の基地局の各々は、ウェイクアップされると、自己が起動したことを示す起動信号ＤＲＶ１を生成して制御装置２０へ送信する。また、ｍ個の基地局の各々は、接続要求を受けると、起動中に接続要求されたことを示す接続要求信号ＣＤＭを生成して制御装置２０へ送信する。
【００２１】
また、基地局１〜ｍの各々は、起動後、自己を他の基地局から識別するための識別子であるＢＳＳＩＤ（Ｂａｓｉｃ  Ｓｅｒｖｉｃｅ  Ｓｅｔ  ＩＤｅｎｔｉｆｉｅｒ）を含むビーコンフレームを生成し、その生成したビーコンフレームを定期的にブロードキャストする。なお、ＢＳＳＩＤは、基地局のＭＡＣアドレスと同じである。
【００２２】
更に、基地局１〜ｍの各々は、端末装置が要求する最低の送信速度である要求最低速度ＲａｔｅＭＩＮｉと、端末装置がビーコンフレームを受信したときの受信信号強度ＲＳＳＩｉ，ｊと、各端末装置の接続可能な基地局を示す接続可能リストＣＮＬｉと、各端末装置における消費電力ＰＳＴＡｉ，ｊとを含むパケットを端末装置１１〜１Ｋの少なくとも１つから受信する。ここで、ｉは、端末装置１１〜１Ｋの各々を表し、ｉ＝１１〜１Ｋである。また、ｊは、基地局１〜ｍの各々を表し、ｊ＝１〜ｍである。
【００２３】
そして、基地局１〜ｍの各々は、その受信したパケットから要求最低速度ＲａｔｅＭＩＮｉと、受信信号強度ＲＳＳＩｉ，ｊと、接続可能リストＣＮＬｉと、消費電力ＰＳＴＡｉ，ｊと、自己にパケットを送信した端末装置のＭＡＣアドレスとを取り出し、その取り出した要求最低速度ＲａｔｅＭＩＮｉ、受信信号強度ＲＳＳＩｉ，ｊ、接続可能リストＣＮＬｉおよび消費電力ＰＳＴＡｉ，ｊをＭＡＣアドレスに対応付けて［ＭＡＣアドレス：要求最低速度ＲａｔｅＭＩＮｉ／受信信号強度ＲＳＳＩｉ，ｊ／接続可能リストＣＮＬｉ／消費電力ＰＳＴＡｉ，ｊ］を作成する。そうすると、基地局１〜ｍの各々は、［ＭＡＣアドレス：要求最低速度ＲａｔｅＭＩＮｉ／受信信号強度ＲＳＳＩｉ，ｊ／接続可能リストＣＮＬｉ／消費電力ＰＳＴＡｉ，ｊ］と、ダウンリンクにおけるデータ通信量Ｂｄｏｗｎｊ，ｉとを有線ケーブル３０を介して制御装置２０へ送信する。
【００２４】
更に、基地局１〜ｍの各々は、プローブリクエストフレームによる接続要求を受けた後に、要求最低速度ＲａｔｅＭＩＮｉと、受信信号強度ＲＳＳＩｉ，ｊと、接続可能リストＣＮＬｉと、消費電力ＰＳＴＡｉ，ｊとを含むパケットを端末装置（端末装置１１〜１Ｋの少なくとも１つ）から受信すると、［ＭＡＣアドレス：要求最低速度ＲａｔｅＭＩＮｉ／受信信号強度ＲＳＳＩｉ，ｊ／接続可能リストＣＮＬｉ／消費電力ＰＳＴＡｉ，ｊ］と、ダウンリンクにおけるデータ通信量Ｂｄｏｗｎｊ，ｉとを有線ケーブル３０を介して制御装置２０へ送信する。
【００２５】
更に、基地局１〜ｍの各々は、自己に接続していた端末装置（端末装置１１〜１Ｋの少なくとも１つ）から、一定期間、パケットを受信しないとき、その端末装置が無線通信システム１００から離脱したか未使用中であると判定する。そして、基地局１〜ｍの各々は、端末装置が離脱したこと、または未使用中であることを示す離脱停止通知ＳＥＰを生成して制御装置２０へ送信する。
【００２６】
更に、基地局１〜ｍの各々は、稼動すべき基地局である稼動基地局と、スリープすべき基地局であるスリープ基地局と、各基地局１〜ｍの消費電力ＰＡＰｊとを含む稼動／スリープリストを制御装置２０から受信し、その受信した稼動／スリープリストを自己に接続している端末装置へ送信する。そして、基地局１〜ｍの各々は、稼動／スリープリストに基づいて、自己が稼動基地局であることを検知すれば、稼動を維持し、稼動／スリープリストに基づいて、自己がスリープ基地局であることを検知すれば、スリープする。
【００２７】
端末装置１１〜１Ｋは、無線通信空間に配置される。端末装置１１〜１Ｋの各々は、無線通信システム１００に参入すると、ウェイクアップ信号ＷＫＥを生成し、その生成したウェイクアップ信号ＷＫＥを送信する。
【００２８】
その後、端末装置１１〜１Ｋの各々は、バックグラウンドスキャンを行い、基地局１〜ｍの少なくとも１つからビーコンフレームを受信するとともに、ビーコンフレームを受信したときの受信信号強度ＲＳＳＩｉ，ｊを検出する。そして、端末装置１１〜１Ｋの各々は、その受信したビーコンフレームに基づいて、自己が接続可能な基地局を示す接続可能リストＣＮＬｉを作成する。
【００２９】
また、端末装置１１〜１Ｋは、稼動基地局に対しては、ウェイクアップ信号ＷＫＥの送信とバックグラウンドスキャンとを行う代わりに、パッシブスキャンによって基地局１〜ｍの少なくとも１つからビーコンフレームを受信し、自己が接続可能な基地局を示す接続可能リストＣＮＬｉを作成してもよい。
【００３０】
更に、端末装置１１〜１Ｋの各々は、後述する方法によって、自己における消費電力ＰＳＴＡｉ，ｊを検出する。
【００３１】
そうすると、端末装置１１〜１Ｋの各々は、要求最低速度ＲａｔｅＭＩＮｉと、受信信号強度ＲＳＳＩｉ，ｊと、接続可能リストＣＮＬｉと、消費電力ＰＳＴＡｉ，ｊとを含むパケット＝［要求最低速度ＲａｔｅＭＩＮｉ／受信信号強度ＲＳＳＩｉ，ｊ／接続可能リストＣＮＬｉ／消費電力ＰＳＴＡｉ，ｊ］を生成する。そして、端末装置１１〜１Ｋの各々は、その生成したパケット＝［要求最低速度ＲａｔｅＭＩＮｉ／受信信号強度ＲＳＳＩｉ，ｊ／接続可能リストＣＮＬｉ／消費電力ＰＳＴＡｉ，ｊ］を受信信号強度ＲＳＳＩｉ，ｊが最大である基地局（基地局１〜ｍのいずれか）へ送信する。
【００３２】
更に、端末装置１１〜１Ｋの各々は、基地局１〜ｍが起動状態にあるときに、プローブリクエストフレームによる接続要求を基地局１〜ｍへ送信する。その後、端末装置１１〜１Ｋの各々は、パケット＝［要求最低速度ＲａｔｅＭＩＮｉ／受信信号強度ＲＳＳＩｉ，ｊ／接続可能リストＣＮＬｉ／消費電力ＰＳＴＡｉ，ｊ］を生成し、その生成したパケット＝［要求最低速度ＲａｔｅＭＩＮｉ／受信信号強度ＲＳＳＩｉ，ｊ／接続可能リストＣＮＬｉ／消費電力ＰＳＴＡｉ，ｊ］を受信信号強度ＲＳＳＩｉ，ｊが最大である基地局（基地局１〜ｍのいずれか）へ送信する。
【００３３】
更に、端末装置１１〜１Ｋの各々は、稼動／スリープリストを制御装置２０から受信すると、稼動／スリープリストに含まれる稼動基地局のうち、受信信号強度ＲＳＳＩｉ，ｊが最大である稼動基地局または消費電力ＰＡＰｊが最小である稼動基地局へ接続を変更する。
【００３４】
制御装置２０は、基地局１〜ｍからｍ個の起動信号ＤＲＶ１を受信すると、既に接続している端末装置に対して、バックグラウンドスキャンを行うように指示する。その後、制御装置２０は、［ＭＡＣアドレス：要求最低速度ＲａｔｅＭＩＮｉ／受信信号強度ＲＳＳＩｉ，ｊ／接続可能リストＣＮＬｉ／消費電力ＰＳＴＡｉ，ｊ］と、基地局１〜ｍのダウンリンクにおけるデータ通信量Ｂｄｏｗｎｊ，ｉとを基地局１〜ｍから受信する。そして、制御装置２０は、［ＭＡＣアドレス：要求最低速度ＲａｔｅＭＩＮｉ／受信信号強度ＲＳＳＩｉ，ｊ／接続可能リストＣＮＬｉ／消費電力ＰＳＴＡｉ，ｊ］およびデータ通信量Ｂｄｏｗｎｊ，ｉに基づいて、後述する方法によって、各基地局１〜ｍにおける消費電力ＰＡＰｊおよび送信速度Ｒａｔｅｊ，ｉを求める。
【００３５】
そうすると、制御装置２０は、［ＭＡＣアドレス：要求最低速度ＲａｔｅＭＩＮｉ／受信信号強度ＲＳＳＩｉ，ｊ／接続可能リストＣＮＬｉ／消費電力ＰＳＴＡｉ，ｊ］、消費電力ＰＡＰｊおよび送信速度Ｒａｔｅｊ，ｉに基づいて、後述する方法によって、基地局１〜ｍの各々に対して、稼動すべきかスリープするべきかを決定する。その後、制御装置２０は、稼動／スリープリストを基地局１〜ｍおよび端末装置１１〜１Ｋの各々に送信する。
【００３６】
更に、制御装置２０は、離脱停止通知ＳＥＰを基地局（基地局１〜ｍのいずれか）から受信すると、既に接続している端末装置に対してバックグラウンドスキャンを行うように指示する。そして、制御装置２０は、バックグラウンドスキャンの指示後、［ＭＡＣアドレス：要求最低速度ＲａｔｅＭＩＮｉ／受信信号強度ＲＳＳＩｉ，ｊ／接続可能リストＣＮＬｉ／消費電力ＰＳＴＡｉ，ｊ］を基地局１〜ｍのいずれかから受信すると、後述する方法によって、基地局１〜ｍの各々に対して、稼動すべきかスリープすべきかを決定する。その後、制御装置２０は、稼動／スリープリストを基地局１〜ｍおよび端末装置１１〜１Ｋの各々に送信する。
【００３７】
更に、制御装置２０は、接続要求信号ＣＤＭを基地局（基地局１〜ｍのいずれか）から受信すると、既に接続している端末装置に対して、バックグラウンドスキャンを行うように指示する。そして、制御装置２０は、バックグラウンドスキャンの指示後、［ＭＡＣアドレス：要求最低速度ＲａｔｅＭＩＮｉ／受信信号強度ＲＳＳＩｉ，ｊ／接続可能リストＣＮＬｉ／消費電力ＰＳＴＡｉ，ｊ］を基地局１〜ｍのいずれかから受信すると、後述する方法によって、基地局１〜ｍの各々に対して、稼動すべきかスリープすべきかを決定する。その後、制御装置２０は、稼動／スリープリストを基地局１〜ｍおよび端末装置１１〜１Ｋの各々に送信する。
【００３８】
図２は、図１に示す基地局１の構成を示すブロック図である。図２を参照して、基地局１は、アンテナ１１０と、切替器１２０と、ウェイクアップ装置１３０と、メイン装置１４０と、電源１５０とを含む。
【００３９】
アンテナ１１０は、切替器１２０を介してウェイクアップ装置１３０またはメイン装置１４０に接続される。
【００４０】
切替器１２０は、アンテナ１１０と、ウェイクアップ装置１３０およびメイン装置１４０との間に接続される。
【００４１】
アンテナ１１０は、無線通信によって端末装置（端末装置１１〜１Ｋのいずれか）からパケットを受信し、その受信したパケットを切替器１２０を介してウェイクアップ装置１３０またはメイン装置１４０へ出力する。また、アンテナ１１０は、メイン装置１４０から受けたパケットを無線通信によって端末装置（端末装置１１〜１Ｋのいずれか）へ送信する。
【００４２】
切替器１２０は、メイン装置１４０からの制御信号ＣＴＬ１に応じて、アンテナ１１０をウェイクアップ装置１３０またはメイン装置１４０に接続する。
【００４３】
ウェイクアップ装置１３０は、例えば、１００μＷの電力を電源１５０から受け、その受けた電力によって駆動される。また、ウェイクアップ装置１３０は、メイン装置１４０がスリープ状態にあるとき、切替器１２０を介してアンテナ１１０に接続される。また、ウェイクアップ装置１３０は、無線通信システム１００内における共通なウェイクアップＩＤ＿ｃｏｍを予め保持している。
【００４４】
そして、ウェイクアップ装置１３０は、アンテナ１１０を介して端末装置（端末装置１１〜１Ｋのいずれか）からウェイクアップ信号ＷＫＥを受信すると、その受信したウェイクアップ信号ＷＫＥに含まれるウェイクアップＩＤがウェイクアップＩＤ＿ｃｏｍに一致するか否かを判定する。ウェイクアップ装置１３０は、ウェイクアップＩＤがウェイクアップＩＤ＿ｃｏｍに一致すると判定したとき、起動信号ＤＲＶ２を生成し、その生成した起動信号ＤＲＶ２をメイン装置１４０へ出力する。
【００４５】
一方、ウェイクアップ装置１３０は、ウェイクアップＩＤがウェイクアップＩＤ＿ｃｏｍに一致しないとき、ウェイクアップ信号ＷＫＥを破棄する。そして、ウェイクアップ装置１３０は、ウェイクアップ信号ＷＫＥの受信を待つ状態になる。
【００４６】
なお、ウェイクアップ装置１３０は、ウェイクアップ信号ＷＫＥ等のパケットを受信する機能のみを有し、パケットを送信する機能を有しない。
【００４７】
メイン装置１４０は、例えば、７Ｗの電力を電源１５０から受け、その受けた電力によって駆動される。
【００４８】
また、メイン装置１４０は、スリープ状態にあるときに、ウェイクアップ装置１３０からの起動信号ＤＲＶ２によって起動されると、起動信号ＤＲＶ１を生成し、その生成した起動信号ＤＲＶ１を有線ケーブル３０を介して制御装置２０へ送信する。
【００４９】
更に、メイン装置１４０は、起動状態であるとき、基地局１に接続した端末装置とアンテナ１１０を介して無線通信を行う。
【００５０】
更に、メイン装置１４０は、起動状態であるとき、端末装置（端末装置１１〜１Ｋの少なくとも１つ）からプローブリクエストフレームによる接続要求を受信すると、接続要求信号ＣＤＭを生成し、その生成した接続要求信号ＣＤＭを有線ケーブル３０を介して制御装置２０へ送信する。
【００５１】
更に、メイン装置１４０は、稼動／スリープリストを有線ケーブル３０を介して制御装置２０から受信し、その受信した稼動／スリープリストを基地局１に接続している端末装置（＝端末装置１１〜１Ｋの少なくとも１つ）へ送信する。そして、メイン装置１４０は、基地局１が稼動／スリープリストに含まれる稼動基地局であれば、稼動を維持し、基地局１が稼動／スリープリストに含まれるスリープ基地局であれば、起動状態からスリープ状態へ移行する。
【００５２】
更に、メイン装置１４０は、パケット＝［要求最低速度ＲａｔｅＭＩＮｉ／受信信号強度ＲＳＳＩｉ，ｊ／接続可能リストＣＮＬｉ／消費電力ＰＳＴＡｉ，ｊ］をアンテナ１１０を介して端末装置（端末装置１１〜１Ｋのいずれか）から受信すると、その受信したパケットから要求最低速度ＲａｔｅＭＩＮｉと、受信信号強度ＲＳＳＩｉ，ｊと、接続可能リストＣＮＬｉと、消費電力ＰＳＴＡｉ，ｊと、そのパケットの送信元である端末装置のＭＡＣアドレスとを取り出す。その後、メイン装置１４０は、その取り出した要求最低速度ＲａｔｅＭＩＮｉ、受信信号強度ＲＳＳＩｉ，ｊ、接続可能リストＣＮＬｉおよび消費電力ＰＳＴＡｉ，ｊをＭＡＣアドレスに対応付けて［ＭＡＣアドレス：要求最低速度ＲａｔｅＭＩＮｉ／受信信号強度ＲＳＳＩｉ，ｊ／接続可能リストＣＮＬｉ／消費電力ＰＳＴＡｉ，ｊ］を作成する。そうすると、メイン装置１４０は、［ＭＡＣアドレス：要求最低速度ＲａｔｅＭＩＮｉ／受信信号強度ＲＳＳＩｉ，ｊ／接続可能リストＣＮＬｉ／消費電力ＰＳＴＡｉ，ｊ］と、ダウンリンクにおけるデータ通信量Ｂｄｏｗｎｊ，ｉとを有線ケーブル３０を介して制御装置２０へ送信する。
【００５３】
電源１５０は、１００μＷの電力をウェイクアップ装置１３０へ供給し、７Ｗの電力をメイン装置１４０へ供給する。
【００５４】
切替器１２０は、スイッチ１２１と、端子１２２，１２３とを含む。ウェイクアップ装置１３０は、ウェイクアップ信号受信器１３１と、ウェイクアップ判定器１３２とを含む。メイン装置１４０は、無線通信モジュール１４１と、有線通信モジュール１４２と、ホストシステム１４３とを含む。
【００５５】
スイッチ１２１は、アンテナ１１０に接続される。端子１２２は、ウェイクアップ信号受信器１３１に接続される。端子１２３は、無線通信モジュール１４１に接続される。
【００５６】
スイッチ１２１は、メイン装置１４０のホストシステム１４３から制御信号ＣＴＬ１を受ける。そして、スイッチ１２１は、その制御信号ＣＴＬ１によってアンテナ１１０を端子１２２または端子１２３に接続する。
【００５７】
この場合、制御信号ＣＴＬ１は、Ｌ（論理ロー）レベルの信号、またはＨ（論理ハイ）レベルの信号からなる。そして、スイッチ１２１は、制御信号ＣＴＬ１がＬレベルの信号からなる場合、アンテナ１１０を端子１２２に接続し、制御信号ＣＴＬ１がＨレベルの信号からなる場合、アンテナ１１０を端子１２３に接続する。
【００５８】
ウェイクアップ信号受信器１３１は、パケットを受信する機能のみを有し、パケットを送信する機能を有しない。
【００５９】
ウェイクアップ信号受信器１３１は、無線通信帯域（＝２．４５ＧＨｚ帯）の１つの周波数に設定されたチャネルＸを有する。そして、ウェイクアップ信号受信器１３１は、スイッチ１２１が端子１２２に接続されたとき、チャネルＸでウェイクアップ信号を待ち受ける。
【００６０】
ウェイクアップ信号受信器１３１は、ウェイクアップ信号ＷＫＥをアンテナ１１０を介して受信すると、その受信したウェイクアップ信号ＷＫＥを復調し、その復調したウェイクアップ信号ＷＫＥをウェイクアップ判定器１３２へ出力する。
【００６１】
ウェイクアップ判定器１３２は、ウェイクアップＩＤ＿ｃｏｍを予め保持している。ウェイクアップ判定器１３２は、ウェイクアップ信号ＷＫＥをウェイクアップ信号受信器１３１から受ける。そして、ウェイクアップ判定器１３２は、その受けたウェイクアップ信号ＷＫＥに含まれるウェイクアップＩＤを抽出する。
【００６２】
そうすると、ウェイクアップ判定器１３２は、ウェイクアップＩＤがウェイクアップＩＤ＿ｃｏｍに一致するか否かを判定する。ウェイクアップ判定器１３２は、ウェイクアップＩＤがウェイクアップＩＤ＿ｃｏｍに一致すると判定したとき、起動信号ＤＲＶ２を生成し、その生成した起動信号ＤＲＶ２をメイン装置１４０のホストシステム１４３へ出力する。一方、ウェイクアップ判定器１３２は、ウェイクアップＩＤがウェイクアップＩＤ＿ｃｏｍに一致しないと判定したとき、その抽出したウェイクアップＩＤを破棄する。
【００６３】
無線通信モジュール１４１は、基地局１に接続している端末装置との間のデータ通信に使用されるチャネルＺ（＝２．４５ＧＨｚ帯の１つの周波数を有する周波数チャネル）が予め設定されている。
【００６４】
無線通信モジュール１４１は、ホストシステム１４３からコマンド信号ＣＯＭ１を受けると、起動状態からスリープ状態へ移行し、ホストシステム１４３からコマンド信号ＣＯＭ２を受けると、スリープ状態から起動状態へ移行する。
【００６５】
そして、無線通信モジュール１４１は、アンテナ１１０を介してビーコンフレームを定期的にブロードキャストする。その後、無線通信モジュール１４１は、端末装置との間で無線通信リンクを確立する。そして、無線通信モジュール１４１は、無線通信リンクを確立した端末装置と無線通信を行う。この場合、無線通信モジュール１４１は、無線通信リンクを確立した端末装置からパケットを受信すると、その受信したパケットからデータを取り出してホストシステム１４３へ出力する。また、無線通信モジュール１４１は、ホストシステム１４３から受けたデータを含むパケットを生成して端末装置へ送信する。
【００６６】
また、無線通信モジュール１４１は、ダウンリンクにおけるデータ通信量Ｂｄｏｗｎｊ，ｉをホストシステム１４３へ出力する。
【００６７】
更に、無線通信モジュール１４１は、起動中に、プローブリクエストフレームによる接続要求をアンテナ１１０を介して端末装置（端末装置１１〜１Ｋの少なくとも１つ）から受信すると、その受信した接続要求をホストシステム１４３へ出力する。
【００６８】
有線通信モジュール１４２は、有線ケーブル３０を介して制御装置２０から稼動／スリープリスト等の制御情報を受信し、その受信した制御情報をホストシステム１４３へ出力する。
【００６９】
また、有線通信モジュール１４２は、ホストシステム１４３から起動信号ＤＲＶ１および接続要求信号ＣＤＭ等の制御情報を受け、その受けた制御情報を有線ケーブル３０を介して制御装置２０へ送信する。
【００７０】
更に、有線通信モジュール１４２は、ホストシステム１４３からコマンド信号ＣＯＭ１を受けると、起動状態からスリープ状態へ移行し、ホストシステム１４３からコマンド信号ＣＯＭ２を受けると、スリープ状態から起動状態へ移行する。
【００７１】
ホストシステム１４３は、ウェイクアップ判定器１３２から起動信号ＤＲＶ２を受けると、スリープ状態から起動状態へ移行し、コマンド信号ＣＯＭ２を生成して無線通信モジュール１４１および有線通信モジュール１４２へ出力する。また、ホストシステム１４３は、Ｈレベルの制御信号ＣＴＬ１を生成して切替器１２０へ出力する。そして、ホストシステム１４３は、起動信号ＤＲＶ１を生成し、その生成した起動信号ＤＲＶ１を有線通信モジュール１４２および有線ケーブル３０を介して制御装置２０へ送信する。
【００７２】
また、ホストシステム１４３は、プローブリクエストフレームによる接続要求を無線通信モジュール１４１から受けると、接続要求信号ＣＤＭを生成し、その生成した接続要求信号ＣＤＭを有線通信モジュール１４２および有線ケーブル３０を介して制御装置２０へ送信する。
【００７３】
更に、ホストシステム１４３は、要求最低速度ＲａｔｅＭＩＮｉと、受信信号強度ＲＳＳＩｉ，ｊと、接続可能リストＣＮＬｉと、消費電力ＰＳＴＡｉ，ｊと、端末装置のＭＡＣアドレスと、データ通信量Ｂｄｏｗｎｊ，ｉとを無線通信モジュール１４１から受けると、その受けた要求最低速度ＲａｔｅＭＩＮｉ、受信信号強度ＲＳＳＩｉ，ｊ、接続可能リストＣＮＬｉおよび消費電力ＰＳＴＡｉ，ｊをＭＡＣアドレスに対応付けて［ＭＡＣアドレス：要求最低速度ＲａｔｅＭＩＮｉ／受信信号強度ＲＳＳＩｉ，ｊ／接続可能リストＣＮＬｉ／消費電力ＰＳＴＡｉ，ｊ］を作成する。そうすると、ホストシステム１４３は、［ＭＡＣアドレス：要求最低速度ＲａｔｅＭＩＮｉ／受信信号強度ＲＳＳＩｉ，ｊ／接続可能リストＣＮＬｉ／消費電力ＰＳＴＡｉ，ｊ］と、データ通信量Ｂｄｏｗｎｊ，ｉとを有線通信モジュール１４２および有線ケーブル３０を介して制御装置２０へ送信する。
【００７４】
更に、ホストシステム１４３は、稼動／スリープリストを制御装置２０から受信し、その受信した稼動／スリープリストを無線通信モジュール１４１へ出力する。そして、ホストシステム１４３は、基地局１が稼動／スリープリストに含まれる稼動基地局であれば、コマンド信号ＣＯＭ２を無線通信モジュール１４１および有線通信モジュール１４２へ出力する。また、ホストシステム１４３は、基地局１が稼動／スリープリストに含まれるスリープ基地局であれば、コマンド信号ＣＯＭ１を無線通信モジュール１４１および有線通信モジュール１４２へ出力するとともに、Ｌレベルの制御信号ＣＴＬ１を切替器１２０へ出力する。
【００７５】
なお、図１に示す基地局２〜Ｍの各々も、図２に示す基地局１と同じ構成からなる。
【００７６】
図３は、図１に示す端末装置１１の構成を示すブロック図である。図３を参照して、端末装置１１は、アンテナ２１と、無線通信モジュール２２と、ウェイクアップ信号送信器２３と、ホストシステム２４とを含む。
【００７７】
無線通信モジュール２２は、アンテナ２１を介してバックグラウンドスキャンを行う。その後、無線通信モジュール２２は、ビーコンフレームを受信すると、そのビーコンフレームを受信したときの受信信号強度ＲＳＳＩｉ，ｊを検出する。そして、無線通信モジュール２２は、その検出した受信信号強度ＲＳＳＩｉ，ｊと、ビーコンフレームとをホストシステム２４へ出力する。
【００７８】
また、無線通信モジュール２２は、アンテナ２１を介して基地局（＝基地局１〜ｍのいずれか）から稼動／スリープリストを受信する。そして、無線通信モジュール２２は、稼動／スリープリストに含まれる稼動基地局のうち、受信信号強度ＲＳＳＩｉ，ｊが最大である稼動基地局または消費電力ＰＡＰｊが最小である稼動基地局へ接続を変更する。
【００７９】
更に、無線通信モジュール２２は、プローブリクエストフレームによる接続要求をホストシステム２４から受けると、その受けた接続要求をアンテナ２１を介して送信する。
【００８０】
更に、無線通信モジュール２２は、端末装置１１における消費電力ＰＳＴＡｉ，ｊ、接続可能リストＣＮＬｉおよび端末装置１１における要求最低速度ＲａｔｅＭＩＮｉをホストシステム２４から受けると、要求最低速度ＲａｔｅＭＩＮｉと、受信信号強度ＲＳＳＩｉ，ｊと、接続可能リストＣＮＬｉと、消費電力ＰＳＴＡｉ，ｊとを含むパケット＝［要求最低速度ＲａｔｅＭＩＮｉ／受信信号強度ＲＳＳＩｉ，ｊ／接続可能リストＣＮＬｉ／消費電力ＰＳＴＡｉ，ｊ］を生成し、その生成したパケット＝［要求最低速度ＲａｔｅＭＩＮｉ／受信信号強度ＲＳＳＩｉ，ｊ／接続可能リストＣＮＬｉ／消費電力ＰＳＴＡｉ，ｊ］をアンテナ２１を介して受信信号強度ＲＳＳＩｉ，ｊが最大である基地局（基地局１〜ｍのいずれか）へ送信する。
【００８１】
更に、無線通信モジュール２２は、基地局１との間で無線通信リンクが確立されると、アンテナ２１を介して基地局１と無線通信を行う。
【００８２】
この場合、無線通信モジュール２２は、アンテナ２１を介して基地局１からパケットを受信し、その受信したパケットを復調してデータを取り出し、その取り出したデータをホストシステム２４へ出力する。また、無線通信モジュール２２は、ホストシステム２４からデータを受け、その受けたデータを含むパケットを生成し、その生成したパケットを無線ＬＡＮによる変調方式によって変調し、その変調したパケットをアンテナ２１を介して基地局１へ送信する。
【００８３】
ウェイクアップ信号送信器２３は、ウェイクアップＩＤ＿ｃｏｍを予め保持している。そして、ウェイクアップ信号送信器２３は、コマンド信号ＣＯＭ３をホストシステム２４から受けると、ウェイクアップＩＤ＿ｃｏｍを含むウェイクアップ信号ＷＫＥを生成する。
【００８４】
そして、ウェイクアップ信号送信器２３は、ウェイクアップ信号ＷＫＥをオンオフキーイングの変調方式によって変調し、その変調したウェイクアップ信号ＷＫＥをアンテナ２１を介してチャネルＸで基地局１へ送信する。
【００８５】
このオンオフキーイングの変調方式は、伝送レートが数十ｋｂｐｓ〜数百ｋｂｐｓである変調方式であり、通常の無線ＬＡＮに用いられる変調方式よりも伝送レートが低い。このように伝送レートが低い変調方式によってウェイクアップ信号ＷＫＥを変調するのは、１００μＷという非常に低い電力で動作するウェイクアップ装置１３０によってウェイクアップ信号ＷＫＥを復調できるようにするためである。
【００８６】
ホストシステム２４は、端末装置１１が無線通信システム１００へ参入すると、コマンド信号ＣＯＭ３をウェイクアップ信号送信器２３へ出力する。
【００８７】
また、ホストシステム２４は、無線通信モジュール２２がアンテナ２１を介して受信したビーコンフレームおよび受信信号強度ＲＳＳＩｉ，ｊを無線通信モジュール２２から受ける。そして、ホストシステム２４は、その受けたビーコンフレームに含まれるＥＳＳＩＤまたはＢＳＳＩＤを取り出して管理するとともに、ＥＳＳＩＤまたはＢＳＳＩＤに基づいて、端末装置１１が接続可能な基地局のリストである接続可能リストＣＮＬｉを作成する。
【００８８】
更に、ホストシステム２４は、端末装置１１の要求最低速度ＲａｔｅＭＩＮｉを予め保持している。更に、ホストシステム１４３は、後述する方法によって、端末装置１１における消費電力ＰＳＴＡｉ，ｊを検出する。そうすると、ホストシステム２４は、要求最低速度ＲａｔｅＭＩＮｉ、接続可能リストＣＮＬｉおよび消費電力ＰＳＴＡｉ，ｊを無線通信モジュール２２へ出力する。
【００８９】
更に、ホストシステム２４は、プローブリクエストフレームによる接続要求を生成し、その生成した接続要求を無線通信モジュール２２へ出力する。
【００９０】
更に、ホストシステム２４は、無線通信モジュール２２からデータを受けるとともに、データを生成して無線通信モジュール２２へ出力する。
【００９１】
なお、図１に示す端末装置１２〜１Ｋの各々も、図３に示す端末装置１１と同じ構成からなる。
【００９２】
図４は、図１に示す制御装置２０の構成を示すブロック図である。図４を参照して、制御装置２０は、受信手段４１と、制御手段４２と、記憶手段４３と、作成手段４４と、決定手段４５と、送信手段４６とを含む。
【００９３】
受信手段４１は、基地局１〜ｍからｍ個の起動信号ＤＲＶ１を受信し、その受信したｍ個の起動信号ＤＲＶ１を制御手段４２へ出力する。
【００９４】
また、受信手段４１は、接続要求信号ＣＤＭを基地局（基地局１〜ｍの少なくとも１つ）から受信し、その受信した接続要求信号ＣＤＭを制御手段４２へ出力する。
【００９５】
更に、受信手段４１は、［ＭＡＣアドレス：要求最低速度ＲａｔｅＭＩＮｉ／受信信号強度ＲＳＳＩｉ，ｊ／接続可能リストＣＮＬｉ／消費電力ＰＳＴＡｉ，ｊ］と、データ通信量Ｂｄｏｗｎｊ，ｉとを基地局１〜ｍの各々から受信し、その受信した［ＭＡＣアドレス：要求最低速度ＲａｔｅＭＩＮｉ／受信信号強度ＲＳＳＩｉ，ｊ／接続可能リストＣＮＬｉ／消費電力ＰＳＴＡｉ，ｊ］と、データ通信量Ｂｄｏｗｎｊ，ｉとを制御手段４２へ出力する。
【００９６】
更に、受信手段４１は、離脱停止通知ＳＥＰを基地局（基地局１〜ｍの少なくとも１つ）から受信し、その受信した離脱停止通知ＳＥＰを制御手段４２へ出力する。
【００９７】
制御手段４２は、ｍ個の起動信号ＤＲＶ１を受信手段４１から受け、その受けたｍ個の起動信号ＤＲＶ１に応じて、バックグラウンドスキャンを行うことを指示するための指示信号ＤＩＲ１を生成し、その生成した指示信号ＤＩＲ１を送信手段４６を介して、基地局１〜ｍに接続している端末装置へ送信する。
【００９８】
また、制御手段４２は、［ＭＡＣアドレス：要求最低速度ＲａｔｅＭＩＮｉ／受信信号強度ＲＳＳＩｉ，ｊ／接続可能リストＣＮＬｉ／消費電力ＰＳＴＡｉ，ｊ］と、データ通信量Ｂｄｏｗｎｊ，ｉとを受信手段４１から受け、その受けた［ＭＡＣアドレス：要求最低速度ＲａｔｅＭＩＮｉ／受信信号強度ＲＳＳＩｉ，ｊ／接続可能リストＣＮＬｉ／消費電力ＰＳＴＡｉ，ｊ］と、データ通信量Ｂｄｏｗｎｊ，ｉとを端末装置ｉ毎に記憶手段４３に記憶する。
【００９９】
更に、制御手段４２は、稼動基地局とスリープ基地局とを決定することを指示するための指示信号ＤＩＲ２を生成して作成手段４４へ出力する。
【０１００】
更に、制御手段４２は、離脱停止通知ＳＥＰを受信手段４１から受け、その受けた離脱停止通知ＳＥＰに応じて、指示信号ＤＩＲ１を生成し、その生成した指示信号ＤＩＲ１を送信手段４６を介して、基地局１〜ｍに既に接続している端末装置へ送信する。
【０１０１】
更に、制御手段４２は、接続要求信号ＣＤＭを受信手段４１から受け、その受けた接続要求信号ＣＤＭに応じて、指示信号ＤＩＲ１を生成し、その生成した指示信号ＤＩＲ１を送信手段４６を介して基地局１〜ｍに既に接続している端末装置へ送信する。
【０１０２】
更に、制御手段４２は、稼動／スリープリストを決定手段４５から受けると、その受けた稼動／スリープリストを送信手段４６を介して基地局１〜ｍおよび端末装置１１〜１Ｋの各々へ送信する。
【０１０３】
記憶手段４３は、［ＭＡＣアドレス：要求最低速度ＲａｔｅＭＩＮｉ／受信信号強度ＲＳＳＩｉ，ｊ／接続可能リストＣＮＬｉ／消費電力ＰＳＴＡｉ，ｊ］およびデータ通信量Ｂｄｏｗｎｊ，ｉを端末装置ｉ毎に記憶する。
【０１０４】
作成手段４４は、指示信号ＤＩＲ２を制御手段４２から受けると、［ＭＡＣアドレス：要求最低速度ＲａｔｅＭＩＮｉ／受信信号強度ＲＳＳＩｉ，ｊ／接続可能リストＣＮＬｉ／消費電力ＰＳＴＡｉ，ｊ］を記憶手段４３から読み出す。そして、作成手段４４は、その読み出した［ＭＡＣアドレス：要求最低速度ＲａｔｅＭＩＮｉ／受信信号強度ＲＳＳＩｉ，ｊ／接続可能リストＣＮＬｉ／消費電力ＰＳＴＡｉ，ｊ］の受信信号強度ＲＳＳＩｉ，ｊに基づいて、後述する方法によって、各基地局１〜ｍにおける送信速度Ｒａｔｅｊ，ｉを求める。その後、作成手段４４は、［ＭＡＣアドレス：要求最低速度ＲａｔｅＭＩＮｉ／受信信号強度ＲＳＳＩｉ，ｊ／接続可能リストＣＮＬｉ／消費電力ＰＳＴＡｉ，ｊ］と、送信速度Ｒａｔｅｊ，ｉとに基づいて、後述する方法によって、端末装置１１〜１Ｋの全てが自己の要求最低速度ＲａｔｅＭＩＮｉにできる限り近い送信速度で基地局１〜ｍのいずれかと無線通信を行うための基地局１〜ｍと端末装置１１〜１Ｋとの接続関係を示すリンク情報を作成する。そうすると、作成手段４４は、その作成したリンク情報と、送信速度Ｒａｔｅｊ，ｉとを決定手段４５へ出力する。
【０１０５】
決定手段４５は、リンク情報および送信速度Ｒａｔｅｊ，ｉを作成手段４４から受ける。そして、決定手段４５は、［ＭＡＣアドレス：要求最低速度ＲａｔｅＭＩＮｉ／受信信号強度ＲＳＳＩｉ，ｊ／接続可能リストＣＮＬｉ／消費電力ＰＳＴＡｉ，ｊ］およびデータ通信量Ｂｄｏｗｎｊ，ｉを記憶手段４３から読み出す。その後、決定手段４５は、データ通信量Ｂｄｏｗｎｊ，ｉおよび送信速度Ｒａｔｅｊ，ｉに基づいて、後述する方法によって、基地局１〜ｍの各々における消費電力ＰＡＰｊを演算する。
【０１０６】
そうすると、決定手段４５は、リンク情報、消費電力ＰＳＴＡｉ，ｊおよび消費電力ＰＡＰｊに基づいて、後述する方法によって、基地局１〜ｍの各々に対して、稼動すべきかスリープすべきかを決定し、稼動／スリープリストを作成して制御手段４２へ出力する。
【０１０７】
送信手段４６は、指示信号ＤＩＲ１を制御手段４２から受け、その受けた指示信号ＤＩＲ１を基地局１〜ｍに接続している端末装置へ送信する。
【０１０８】
更に、送信手段４６は、稼動／スリープリストを基地局１〜ｍおよび端末装置１１〜１Ｋの各々へ送信する。
【０１０９】
各基地局１〜ｍの消費電力ＰＡＰｊおよび送信速度Ｒａｔｅｊ，ｉの検出方法について説明する。制御装置２０において、作成手段４４は、受信信号強度ＲＳＳＩｉ，ｊと、無線通信モジュール１４１の送信速度Ｒａｔｅｊ，ｉと、単位データ量当たりの消費電力ＰＴｘｊ（Ｒａｔｅｊ，ｉ）との関係を示すテーブルＴＢＬ１を予め保持している。
【０１１０】
テーブルＴＢＬ１を表１に示す。
【０１１１】
【表１】
0005789462.tif 000002
【０１１２】
ここで、受信信号強度ＲＳＳＩｉ，ｊは、端末装置ｉにおける受信信号強度である。従って、表１は、端末装置ｉにおける受信信号強度ＲＳＳＩｉ，ｊと、基地局ｊにおける送信速度Ｒａｔｅｊ，ｉおよび単位データ量当たりの消費電力ＰＴｘｊ（Ｒａｔｅｊ，ｉ）とを対応付けたものである。
【０１１３】
作成手段４４は、受信信号強度ＲＳＳＩｉ，ｊおよびデータ通信量Ｂｄｏｗｎｊ，ｉを記憶手段４３から読み出す。
【０１１４】
そして、作成手段４４は、その読み出した受信信号強度ＲＳＳＩｉ，ｊに対応する送信速度Ｒａｔｅｊ，ｉをテーブルＴＢＬ１を参照して検出する。
【０１１５】
そうすると、作成手段４４は、その検出した送信速度Ｒａｔｅｊ，ｉを決定手段４５へ出力する。
【０１１６】
このように、作成手段４４は、端末装置ｉにおける受信信号強度ＲＳＳＩｉ，ｊを用いて、端末装置ｉと無線通信を行う基地局ｊにおける送信速度Ｒａｔｅｊ，ｉを検出する。これは、端末装置ｉと基地局ｊとの間の無線通信リンクにおいては、無線通信の対称性から基地局ｊにおける受信信号強度ＲＳＳＩｊ，ｉが端末装置ｉにおける受信信号強度ＲＳＳＩｉ，ｊに等しくなることに基づくものである。
【０１１７】
決定手段４５は、送信速度Ｒａｔｅｊ，ｉを作成手段４４から受ける。また、決定手段４５は、各基地局１〜ｍが通信を行っていないときの消費電力ＰＩｄｌｅｊと表１とを予め保持している。更に、決定手段４５は、データ通信量Ｂｄｏｗｎｊ，ｉを記憶手段４３から読み出す。
【０１１８】
そして、決定手段４５は、表１を参照して、送信速度Ｒａｔｅｊ，ｉに対応する消費電力ＰＴｘｊ（Ｒａｔｅｊ，ｉ）を検出する。
【０１１９】
そうすると、決定手段４５は、消費電力ＰＩｄｌｅｊ、データ通信量Ｂｄｏｗｎｊ，ｉおよび消費電力ＰＴｘｊ（Ｒａｔｅｊ，ｉ）を次式に代入して各基地局１〜ｍにおける消費電力ＰＡＰｊを演算する。
【０１２０】
【数１】
0005789462.tif 000003
【０１２１】
各端末装置１１〜１Ｋにおける消費電力ＰＳＴＡｉ，ｊの検出方法について説明する。各端末装置１１〜１Ｋにおいて、無線通信モジュール２２は、アップリンクにおけるデータ通信量Ｂｕｐｉを検出し、その検出したデータ通信量Ｂｕｐｉをホストシステム２４へ出力する。
【０１２２】
ホストシステム２４は、各端末装置１１〜１Ｋが通信を行っていないときの消費電力ＰＩｄｌｅｉとＤＴＩＭ（Ｄｅｌｉｖｅｒｙ  Ｔｒａｆｆｉｃ  Ｉｎｄｉｃａｔｉｏｎ  Ｍｅｓｓａｇｅ）の設定値との関係を示すテーブルＴＢＬ２を予め保持している。また、ホストシステム２４は、受信信号強度ＲＳＳＩｉ，ｊと、送信速度Ｒａｔｅｉ，ｊと、単位データ量当たりの消費電力ＰＴｘｉ（Ｒａｔｅｉ，ｊ）との関係を示すテーブルＴＢＬ３を予め保持している。
【０１２３】
テーブルＴＢＬ２およびテーブルＴＢＬ３をそれぞれ表２，３に示す。
【０１２４】
【表２】
0005789462.tif 000004
【０１２５】
【表３】
0005789462.tif 000005
【０１２６】
ホストシステム２４は、受信信号強度ＲＳＳＩｉ，ｊおよびデータ通信量Ｂｕｐｉを無線通信モジュール２２から受け、各端末装置１１〜１Ｋのユーザによって設定されたＤＴＩＭの設定値を外部から受ける。そして、ホストシステム２４は、その受けたＤＴＩＭの設定値に対応する消費電力ＰＩｄｌｅｉをテーブルＴＢＬ２を参照して検出する。なお、ホストシステム２４は、ＤＴＩＭの設定値を受けていないとき、ＴＢＬ２を参照して、「設定値なし」に対応する５［Ｗ］の消費電力Ｐｉｄｌｅｉを検出する。
【０１２７】
また、ホストシステム２４は、その受けた受信信号強度ＲＳＳＩｉ，ｊに対応する送信速度Ｒａｔｅｉ，ｊおよび消費電力ＰＴｘｉ（Ｒａｔｅｉ，ｊ）をテーブルＴＢＬ３を参照して検出する。
【０１２８】
そうすると、ホストシステム２４は、消費電力ＰＩｄｌｅｉ、データ通信量Ｂｕｐｉおよび消費電力ＰＴｘｉ（Ｒａｔｅｉ，ｊ）を次式に代入して各端末装置１１〜１Ｋにおける消費電力ＰＳＴＡｉ，ｊを求める。
【０１２９】
【数２】
0005789462.tif 000006
【０１３０】
図５は、図４に示す記憶手段４３における記憶内容の概念図である。また、図６は、接続可能リストＣＮＬｉの具体例を示す図である。更に、図７は、稼働基地局およびスリープ基地局の決定方法を説明するための概念図である。
【０１３１】
無線通信システム１００は、基地局１〜３と、端末装置１１〜１４とからなるものとする。この場合、基地局１〜３は、端末装置１１〜１４の少なくとも１つからのウェイクアップ信号ＷＫＥによってウェイクアップしているものとする。
【０１３２】
端末装置１１の無線通信モジュール２２は、基地局１からビーコンフレームＢｅａｃｏｎ１を受信し、そのビーコンフレームＢｅａｃｏｎ１を受信したときの受信信号強度ＲＳＳＩ１１，１を検出する。そして、端末装置１１の無線通信モジュール２２は、その検出した受信信号強度ＲＳＳＩ１１，１とビーコンフレームＢｅａｃｏｎ１とをホストシステム２４へ出力する。
【０１３３】
そして、端末装置１１のホストシステム２４は、ビーコンフレームＢｅａｃｏｎ１および受信信号強度ＲＳＳＩ１１，１を受ける。その後、端末装置１１のホストシステム２４は、ビーコンフレームＢｅａｃｏｎ１に基づいて、端末装置１１の接続可能リストＣＮＬ１１を作成する。また、端末装置１１のホストシステム２４は、端末装置１１が基地局１と無線通信するときの消費電力ＰＳＴＡ１１，１を上述した方法によって求める。
【０１３４】
そうすると、端末装置１１のホストシステム２４は、端末装置１１のＭＡＣアドレスＭＡＣａｄｄ１１、端末装置１１の要求最低速度ＲａｔｅＭＩＮ１１、受信信号強度ＲＳＳＩ１１，１、接続可能リストＣＮＬ１１および消費電力ＰＳＴＡ１１，１を無線通信モジュール２２へ出力し、無線通信モジュール２２は、ＭＡＣアドレスＭＡＣａｄｄ１１、端末装置１１の要求最低速度ＲａｔｅＭＩＮ１１、受信信号強度ＲＳＳＩ１１，１、接続可能リストＣＮＬ１１および消費電力ＰＳＴＡ１１，１を含むパケットＰＫＴ１＝［ＭＡＣａｄｄ１１／ＲａｔｅＭＩＮ１１／ＲＳＳＩ１１，１／ＣＮＬ１１／ＰＳＴＡ１１，１］を生成する。そして、端末装置１１の無線通信モジュール２２は、その生成したパケットＰＫＴ１をアンテナ２１を介して基地局１へ送信する。
【０１３５】
基地局１の無線通信モジュール１４１は、アンテナ１１０を介してパケットＰＫＴ１＝［ＭＡＣａｄｄ１１／ＲａｔｅＭＩＮ１１／ＲＳＳＩ１１，１／ＣＮＬ１１／ＰＳＴＡ１１，１］を受信し、その受信したパケットＰＫＴ１からＭＡＣアドレスＭＡＣａｄｄ１１、要求最低速度ＲａｔｅＭＩＮ１１、受信信号強度ＲＳＳＩ１１，１、接続可能リストＣＮＬ１１および消費電力ＰＳＴＡ１１，１を読み出し、その読み出したＭＡＣアドレスＭＡＣａｄｄ１１、要求最低速度ＲａｔｅＭＩＮ１１、受信信号強度ＲＳＳＩ１１，１、接続可能リストＣＮＬ１１および消費電力ＰＳＴＡ１１，１をホストシステム１４３へ出力する。
【０１３６】
また、基地局１の無線通信モジュール１４１は、端末装置１１と無線通信するときのデータ通信量Ｂｄｏｗｎ１，１１と、端末装置１２と無線通信するときのデータ通信量Ｂｄｏｗｎ１，１２とをホストシステム１４３へ出力する。
【０１３７】
そうすると、基地局１のホストシステム１４３は、ＭＡＣアドレスＭＡＣａｄｄ１１、要求最低速度ＲａｔｅＭＩＮ１１、受信信号強度ＲＳＳＩ１１，１、接続可能リストＣＮＬ１１、消費電力ＰＳＴＡ１１，１およびデータ通信量Ｂｄｏｗｎ１，１１，Ｂｄｏｗｎ１，１２を無線通信モジュール１４１から受ける。そして、基地局１のホストシステム１４３は、要求最低速度ＲａｔｅＭＩＮ１１、受信信号強度ＲＳＳＩ１１，１、接続可能リストＣＮＬ１１および消費電力ＰＳＴＡ１１，１をＭＡＣアドレスＭＡＣａｄｄ１１に対応付けて［ＭＡＣａｄｄ１１：ＲａｔｅＭＩＮ１１／ＲＳＳＩ１１，１／ＣＮＬ１１／ＰＳＴＡ１１，１］を作成し、［ＭＡＣａｄｄ１１：ＲａｔｅＭＩＮ１１／ＲＳＳＩ１１，１／ＣＮＬ１１／ＰＳＴＡ１１，１］およびデータ通信量Ｂｄｏｗｎ１，１１，Ｂｄｏｗｎ１，１２を有線通信モジュール１４２および有線ケーブル３０を介して制御装置２０へ送信する。
【０１３８】
また、端末装置１２の無線通信モジュール２２は、基地局１〜３からそれぞれビーコンフレームＢｅａｃｏｎ１〜Ｂｅａｃｏｎ３を受信し、そのビーコンフレームＢｅａｃｏｎ１〜Ｂｅａｃｏｎ３を受信したときの受信信号強度ＲＳＳＩ１２，１，ＲＳＳＩ１２，２，ＲＳＳＩ１２，３を検出する。そして、端末装置１２の無線通信モジュール２２は、ビーコンフレームＢｅａｃｏｎ１〜Ｂｅａｃｏｎ３および受信信号強度ＲＳＳＩ１２，１，ＲＳＳＩ１２，２，ＲＳＳＩ１２，３をホストシステム２４へ出力する。
【０１３９】
そして、端末装置１２のホストシステム２４は、ビーコンフレームＢｅａｃｏｎ１〜Ｂｅａｃｏｎ３および受信信号強度ＲＳＳＩ１２，１，ＲＳＳＩ１２，２，ＲＳＳＩ１２，３を受ける。その後、端末装置１２のホストシステム２４は、ビーコンフレームＢｅａｃｏｎ１〜Ｂｅａｃｏｎ３に基づいて、端末装置１２の接続可能リストＣＮＬ１２を作成する。また、端末装置１２のホストシステム２４は、端末装置１２がそれぞれ基地局１〜３と無線通信するときの消費電力ＰＳＴＡ１２，１，ＰＳＴＡ１２，２，ＰＳＴＡ１２，３を上述した方法によって求める。
【０１４０】
そうすると、端末装置１２のホストシステム２４は、端末装置１２のＭＡＣアドレスＭＡＣａｄｄ１２、端末装置１２の要求最低速度ＲａｔｅＭＩＮ１２、受信信号強度ＲＳＳＩ１２，１，ＲＳＳＩ１２，２，ＲＳＳＩ１２，３、接続可能リストＣＮＬ１２および消費電力ＰＳＴＡ１２，１，ＰＳＴＡ１２，２，ＰＳＴＡ１２，３を無線通信モジュール２２へ出力し、無線通信モジュール２２は、ＭＡＣアドレスＭＡＣａｄｄ１２、要求最低速度ＲａｔｅＭＩＮ１２、受信信号強度ＲＳＳＩ１２，１，ＲＳＳＩ１２，２，ＲＳＳＩ１２，３、接続可能リストＣＮＬ１２および消費電力ＰＳＴＡ１２，１，ＰＳＴＡ１２，２，ＰＳＴＡ１２，３を含むパケットＰＫＴ２＝［ＭＡＣａｄｄ１２／ＲａｔｅＭＩＮ１２／ＲＳＳＩ１２，１／ＲＳＳＩ１２，２／ＲＳＳＩ１２，３／ＣＮＬ１２／ＰＳＴＡ１２，１／ＰＳＴＡ１２，２／ＰＳＴＡ１２，３］を生成する。そして、端末装置１２の無線通信モジュール２２は、その生成したパケットＰＫＴ２をアンテナ２１を介して基地局２へ送信する。この場合、端末装置１２がパケットＰＫＴ２を基地局２へ送信するのは、受信信号強度ＲＳＳＩ１２，１，ＲＳＳＩ１２，２，ＲＳＳＩ１２，３のうち、基地局２からのビーコンフレームＢｅａｃｏｎ２を受信したときに得られる受信信号強度ＲＳＳＩ１２，２が最大であるからである。このように、最大の受信信号強度ＲＳＳＩ１２，２が得られる基地局２へパケットＰＫＴ２を送信することによって、要求最低速度ＲａｔｅＭＩＮ１２、受信信号強度ＲＳＳＩ１２，１，ＲＳＳＩ１２，２，ＲＳＳＩ１２，３、接続可能リストＣＮＬ１２および消費電力ＰＳＴＡ１２，１，ＰＳＴＡ１２，２，ＰＳＴＡ１２，３を制御装置２０へ確実に送信できる。
【０１４１】
基地局２の無線通信モジュール１４１は、アンテナ１１０を介してパケットＰＫＴ２＝［ＭＡＣａｄｄ１２／ＲａｔｅＭＩＮ１２／ＲＳＳＩ１２，１／ＲＳＳＩ１２，２／ＲＳＳＩ１２，３／ＣＮＬ１２／ＰＳＴＡ１２，１／ＰＳＴＡ１２，２／ＰＳＴＡ１２，３］を受信し、その受信したパケットＰＫＴ２からＭＡＣアドレスＭＡＣａｄｄ１２、要求最低速度ＲａｔｅＭＩＮ１２、受信信号強度ＲＳＳＩ１２，１，ＲＳＳＩ１２，２，ＲＳＳＩ１２，３、接続可能リストＣＮＬ１２および消費電力ＰＳＴＡ１２，１，ＰＳＴＡ１２，２，ＰＳＴＡ１２，３を読み出し、その読み出したＭＡＣアドレスＭＡＣａｄｄ１２、要求最低速度ＲａｔｅＭＩＮ１２、受信信号強度ＲＳＳＩ１２，１，ＲＳＳＩ１２，２，ＲＳＳＩ１２，３、接続可能リストＣＮＬ１２および消費電力ＰＳＴＡ１２，１，ＰＳＴＡ１２，２，ＰＳＴＡ１２，３をホストシステム１４３へ出力する。
【０１４２】
また、基地局２の無線通信モジュール１４１は、端末装置１２と無線通信するときのデータ通信量Ｂｄｏｗｎ２，１２と、端末装置１３と無線通信するときのデータ通信量Ｂｄｏｗｎ２，１３とをホストシステム１４３へ出力する。
【０１４３】
そうすると、基地局２のホストシステム１４３は、ＭＡＣアドレスＭＡＣａｄｄ１２、要求最低速度ＲａｔｅＭＩＮ１２、受信信号強度ＲＳＳＩ１２，１，ＲＳＳＩ１２，２，ＲＳＳＩ１２，３、接続可能リストＣＮＬ１２、消費電力ＰＳＴＡ１２，１，ＰＳＴＡ１２，２，ＰＳＴＡ１２，３およびデータ通信量Ｂｄｏｗｎ２，１２，Ｂｄｏｗｎ２，１３を無線通信モジュール１４１から受ける。そして、基地局２のホストシステム１４３は、要求最低速度ＲａｔｅＭＩＮ１２、受信信号強度ＲＳＳＩ１２，１，ＲＳＳＩ１２，２，ＲＳＳＩ１２，３、接続可能リストＣＮＬ１２、消費電力ＰＳＴＡ１２，１，ＰＳＴＡ１２，２，ＰＳＴＡ１２，３をＭＡＣアドレスＭＡＣａｄｄ１２に対応付けて［ＭＡＣａｄｄ１２：ＲａｔｅＭＩＮ１２／ＲＳＳＩ１２，１／ＲＳＳＩ１２，２／ＲＳＳＩ１２，３／ＣＮＬ１２／ＰＳＴＡ１２，１／ＰＳＴＡ１２，２／ＰＳＴＡ１２，３］を作成し、［ＭＡＣａｄｄ１２：ＲａｔｅＭＩＮ１２／ＲＳＳＩ１２，１／ＲＳＳＩ１２，２／ＲＳＳＩ１２，３／ＣＮＬ１２／ＰＳＴＡ１２，１／ＰＳＴＡ１２，２／ＰＳＴＡ１２，３］およびデータ通信量Ｂｄｏｗｎ２，１２，Ｂｄｏｗｎ２，１３を有線通信モジュール１４２および有線ケーブル３０を介して制御装置２０へ送信する。
【０１４４】
更に、端末装置１３の無線通信モジュール２２は、基地局２，３からそれぞれビーコンフレームＢｅａｃｏｎ２，Ｂｅａｃｏｎ３を受信し、そのビーコンフレームＢｅａｃｏｎ２，Ｂｅａｃｏｎ３を受信したときの受信信号強度ＲＳＳＩ１３，２，ＲＳＳＩ１３，３を検出する。そして、端末装置１３の無線通信モジュール２２は、ビーコンフレームＢｅａｃｏｎ２，Ｂｅａｃｏｎ３および受信信号強度ＲＳＳＩ１３，２，ＲＳＳＩ１３，３をホストシステム２４へ出力する。
【０１４５】
そして、端末装置１３のホストシステム２４は、ビーコンフレームＢｅａｃｏｎ２，Ｂｅａｃｏｎ３および受信信号強度ＲＳＳＩ１３，２，ＲＳＳＩ１３，３を受ける。その後、端末装置１３のホストシステム２４は、ビーコンフレームＢｅａｃｏｎ２，Ｂｅａｃｏｎ３に基づいて、端末装置１３の接続可能リストＣＮＬ１３を作成する。また、端末装置１３のホストシステム２４は、端末装置１３がそれぞれ基地局２，３と無線通信するときの消費電力ＰＳＴＡ１３，２，ＰＳＴＡ１３，３を上述した方法によって求める。
【０１４６】
そうすると、端末装置１３のホストシステム２４は、端末装置１３のＭＡＣアドレスＭＡＣａｄｄ１３、端末装置１３の要求最低速度ＲａｔｅＭＩＮ１３、受信信号強度ＲＳＳＩ１３，２，ＲＳＳＩ１３，３、接続可能リストＣＮＬ１３および消費電力ＰＳＴＡ１３，２，ＰＳＴＡ１３，３を無線通信モジュール２２へ出力し、無線通信モジュール２２は、ＭＡＣアドレスＭＡＣａｄｄ１３、要求最低速度ＲａｔｅＭＩＮ１３、受信信号強度ＲＳＳＩ１３，２，ＲＳＳＩ１３，３、接続可能リストＣＮＬ１３および消費電力ＰＳＴＡ１３，２，ＰＳＴＡ１３，３を含むパケットＰＫＴ３＝［ＭＡＣａｄｄ１３／ＲａｔｅＭＩＮ１３／ＲＳＳＩ１３，２／ＲＳＳＩ１３，３／ＣＮＬ１３／ＰＳＴＡ１３，２／ＰＳＴＡ１３，３］を生成する。そして、端末装置１３の無線通信モジュール２２は、その生成したパケットＰＫＴ３をアンテナ２１を介して基地局２へ送信する。この場合、端末装置１３がパケットＰＫＴ３を基地局２へ送信するのは、受信信号強度ＲＳＳＩ１３，２，ＲＳＳＩ１３，３のうち、基地局２からのビーコンフレームＢｅａｃｏｎ２を受信したときに得られる受信信号強度ＲＳＳＩ１３，２が最大であるからである。このように、最大の受信信号強度ＲＳＳＩ１３，２が得られる基地局２へパケットＰＫＴ３を送信することによって、要求最低速度ＲａｔｅＭＩＮ１３、受信信号強度ＲＳＳＩ１３，２，ＲＳＳＩ１３，３、接続可能リストＣＮＬ１３および消費電力ＰＳＴＡ１３，２，ＰＳＴＡ１３，３を制御装置２０へ確実に送信できる。
【０１４７】
基地局２の無線通信モジュール１４１は、アンテナ１１０を介してパケットＰＫＴ３＝［ＭＡＣａｄｄ１３／ＲａｔｅＭＩＮ１３／ＲＳＳＩ１３，２／ＲＳＳＩ１３，３／ＣＮＬ１３／ＰＳＴＡ１３，２／ＰＳＴＡ１３，３］を受信し、その受信したパケットＰＫＴ３からＭＡＣアドレスＭＡＣａｄｄ１３、要求最低速度ＲａｔｅＭＩＮ１３、受信信号強度ＲＳＳＩ１３，２，ＲＳＳＩ１３，３、接続可能リストＣＮＬ１３および消費電力ＰＳＴＡ１３，２，ＰＳＴＡ１３，３を読み出し、その読み出したＭＡＣアドレスＭＡＣａｄｄ１３、要求最低速度ＲａｔｅＭＩＮ１３、受信信号強度ＲＳＳＩ１３，２，ＲＳＳＩ１３，３、接続可能リストＣＮＬ１３および消費電力ＰＳＴＡ１３，２，ＰＳＴＡ１３，３をホストシステム１４３へ出力する。
【０１４８】
そうすると、基地局２のホストシステム１４３は、ＭＡＣアドレスＭＡＣａｄｄ１３、要求最低速度ＲａｔｅＭＩＮ１３、受信信号強度ＲＳＳＩ１３，２，ＲＳＳＩ１３，３、接続可能リストＣＮＬ１３および消費電力ＰＳＴＡ１３，２，ＰＳＴＡ１３，３を無線通信モジュール１４１から受ける。そして、基地局２のホストシステム１４３は、要求最低速度ＲａｔｅＭＩＮ１３、受信信号強度ＲＳＳＩ１３，２，ＲＳＳＩ１３，３、接続可能リストＣＮＬ１３および消費電力ＰＳＴＡ１３，２，ＰＳＴＡ１３，３をＭＡＣアドレスＭＡＣａｄｄ１３に対応付けて［ＭＡＣａｄｄ１３：ＲａｔｅＭＩＮ１３／ＲＳＳＩ１３，２／ＲＳＳＩ１３，３／ＣＮＬ１３／ＰＳＴＡ１３，２／ＰＳＴＡ１３，３］を作成し、その作成した［ＭＡＣａｄｄ１３：ＲａｔｅＭＩＮ１３／ＲＳＳＩ１３，２／ＲＳＳＩ１３，３／ＣＮＬ１３／ＰＳＴＡ１３，２／ＰＳＴＡ１３，３］を有線通信モジュール１４２および有線ケーブル３０を介して制御装置２０へ送信する。
【０１４９】
更に、端末装置１４の無線通信モジュール２２は、基地局３からビーコンフレームＢｅａｃｏｎ３を受信し、そのビーコンフレームＢｅａｃｏｎ３を受信したときの受信信号強度ＲＳＳＩ１４，３を検出する。そして、端末装置１４の無線通信モジュール２２は、その検出した受信信号強度ＲＳＳＩ１４，３とビーコンフレームＢｅａｃｏｎ３とをホストシステム２４へ出力する。
【０１５０】
そして、端末装置１４のホストシステム２４は、ビーコンフレームＢｅａｃｏｎ３および受信信号強度ＲＳＳＩ１４，３を受ける。その後、端末装置１４のホストシステム２４は、ビーコンフレームＢｅａｃｏｎ３に基づいて、端末装置１４の接続可能リストＣＮＬ１４を作成する。また、端末装置１４のホストシステム２４は、端末装置１４が基地局３と無線通信するときの消費電力ＰＳＴＡ１４，３を上述した方法によって求める。
【０１５１】
そうすると、端末装置１４のホストシステム２４は、端末装置１４のＭＡＣアドレスＭＡＣａｄｄ１４、端末装置１４の要求最低速度ＲａｔｅＭＩＮ１４、受信信号強度ＲＳＳＩ１４，３、接続可能リストＣＮＬ１４および消費電力ＰＳＴＡ１４，３を無線通信モジュール２２へ出力し、無線通信モジュール２２は、ＭＡＣアドレスＭＡＣａｄｄ１４、要求最低速度ＲａｔｅＭＩＮ１４、受信信号強度ＲＳＳＩ１４，３、接続可能リストＣＮＬ１４および消費電力ＰＳＴＡ１４，３を含むパケットＰＫＴ４＝［ＭＡＣａｄｄ１４／ＲａｔｅＭＩＮ１４／ＲＳＳＩ１４，３／ＣＮＬ１４／ＰＳＴＡ１４，３］を生成する。そして、端末装置１４のホストシステム２４は、その生成したパケットＰＫＴ４を無線通信モジュール２２およびアンテナ２１を介して基地局３へ送信する。
【０１５２】
基地局３の無線通信モジュール１４１は、アンテナ１１０を介してパケットＰＫＴ４＝［ＭＡＣａｄｄ１４／ＲａｔｅＭＩＮ１４／ＲＳＳＩ１４，３／ＣＮＬ１４／ＰＳＴＡ１４，３］を受信し、その受信したパケットＰＫＴ４からＭＡＣアドレスＭＡＣａｄｄ１４、要求最低速度ＲａｔｅＭＩＮ１４、受信信号強度ＲＳＳＩ１４，３、接続可能リストＣＮＬ１４および消費電力ＰＳＴＡ１４，３を読み出し、その読み出したＭＡＣアドレスＭＡＣａｄｄ１４、要求最低速度ＲａｔｅＭＩＮ１４、受信信号強度ＲＳＳＩ１４，３、接続可能リストＣＮＬ１４および消費電力ＰＳＴＡ１４，３をホストシステム１４３へ出力する。
【０１５３】
また、基地局３の無線通信モジュール１４１は、端末装置１２と無線通信するときのデータ通信量Ｂｄｏｗｎ３，１２と、端末装置１３と無線通信するときのデータ通信量Ｂｄｏｗｎ３，１３と、端末装置１４と無線通信するときのデータ通信量Ｂｄｏｗｎ３，１４とをホストシステム１４３へ出力する。
【０１５４】
そうすると、基地局３のホストシステム１４３は、ＭＡＣアドレスＭＡＣａｄｄ１４、要求最低速度ＲａｔｅＭＩＮ１４、受信信号強度ＲＳＳＩ１４，３、接続可能リストＣＮＬ１４、消費電力ＰＳＴＡ１４，３およびデータ通信量Ｂｄｏｗｎ３，１２，Ｂｄｏｗｎ３，１３，Ｂｄｏｗｎ３，１４を無線通信モジュール１４１から受ける。そして、基地局３のホストシステム１４３は、要求最低速度ＲａｔｅＭＩＮ１４、受信信号強度ＲＳＳＩ１４，３、接続可能リストＣＮＬ１４および消費電力ＰＳＴＡ１４，３をＭＡＣアドレスＭＡＣａｄｄ１４に対応付けて［ＭＡＣａｄｄ１４：ＲａｔｅＭＩＮ１４／ＲＳＳＩ１４，３／ＣＮＬ１４／ＰＳＴＡ１４，３］を作成し、［ＭＡＣａｄｄ１４：ＲａｔｅＭＩＮ１４／ＲＳＳＩ１４，３／ＣＮＬ１４／ＰＳＴＡ１４，３］およびデータ通信量Ｂｄｏｗｎ３，１２，Ｂｄｏｗｎ３，１３，Ｂｄｏｗｎ３，１４を有線通信モジュール１４２および有線ケーブル３０を介して制御装置２０へ送信する。
【０１５５】
制御装置２０の受信手段４１は、［ＭＡＣａｄｄ１１：ＲａｔｅＭＩＮ１１／ＲＳＳＩ１１，１／ＣＮＬ１１／ＰＳＴＡ１１，１］およびデータ通信量Ｂｄｏｗｎ１，１１，Ｂｄｏｗｎ１，１２を基地局１から受信し、その受信した［ＭＡＣａｄｄ１１：ＲａｔｅＭＩＮ１１／ＲＳＳＩ１１，１／ＣＮＬ１１／ＰＳＴＡ１１，１］およびデータ通信量Ｂｄｏｗｎ１，１１，Ｂｄｏｗｎ１，１２を制御手段４２へ出力する。
【０１５６】
また、制御装置２０の受信手段４１は、［ＭＡＣａｄｄ１２：ＲａｔｅＭＩＮ１２／ＲＳＳＩ１２，１／ＲＳＳＩ１２，２／ＲＳＳＩ１２，３／ＣＮＬ１２／ＰＳＴＡ１２，１／ＰＳＴＡ１２，２／ＰＳＴＡ１２，３］およびデータ通信量Ｂｄｏｗｎ２，１２，Ｂｄｏｗｎ２，１３を基地局２から受信し、その受信した［ＭＡＣａｄｄ１２：ＲａｔｅＭＩＮ１２／ＲＳＳＩ１２，１／ＲＳＳＩ１２，２／ＲＳＳＩ１２，３／ＣＮＬ１２／ＰＳＴＡ１２，１／ＰＳＴＡ１２，２／ＰＳＴＡ１２，３］およびデータ通信量Ｂｄｏｗｎ２，１２，Ｂｄｏｗｎ２，１３を制御手段４２へ出力する。
【０１５７】
更に、制御装置２０の受信手段４１は、［ＭＡＣａｄｄ１３：ＲａｔｅＭＩＮ１３／ＲＳＳＩ１３，２／ＲＳＳＩ１３，３／ＣＮＬ１３／ＰＳＴＡ１３，２／ＰＳＴＡ１３，３］を基地局２から受信し、その受信した［ＭＡＣａｄｄ１３：ＲａｔｅＭＩＮ１３／ＲＳＳＩ１３，２／ＲＳＳＩ１３，３／ＣＮＬ１３／ＰＳＴＡ１３，２／ＰＳＴＡ１３，３］を制御手段４２へ出力する。
【０１５８】
更に、制御装置２０の受信手段４１は、［ＭＡＣａｄｄ１４：ＲａｔｅＭＩＮ１４／ＲＳＳＩ１４，３／ＣＮＬ１４／ＰＳＴＡ１４，３］およびデータ通信量Ｂｄｏｗｎ３，１２，Ｂｄｏｗｎ３，１３，Ｂｄｏｗｎ３，１４を基地局３から受信し、その受信した［ＭＡＣａｄｄ１４：ＲａｔｅＭＩＮ１４／ＲＳＳＩ１４，３／ＣＮＬ１４／ＰＳＴＡ１４，３］およびデータ通信量Ｂｄｏｗｎ３，１２，Ｂｄｏｗｎ３，１３，Ｂｄｏｗｎ３，１４を制御手段４２へ出力する。
【０１５９】
そして、制御装置２０の制御手段４２は、［ＭＡＣａｄｄ１１：ＲａｔｅＭＩＮ１１／ＲＳＳＩ１１，１／ＣＮＬ１１／ＰＳＴＡ１１，１］およびデータ通信量Ｂｄｏｗｎ１，１１，Ｂｄｏｗｎ１，１２等を受信手段４１から受け、その受けた［ＭＡＣａｄｄ１１：ＲａｔｅＭＩＮ１１／ＲＳＳＩ１１，１／ＣＮＬ１１／ＰＳＴＡ１１，１］およびデータ通信量Ｂｄｏｗｎ１，１１，Ｂｄｏｗｎ１，１２等を図５に示す情報ＩＦＯ１として記憶手段４３に記憶する。
【０１６０】
制御装置２０の作成手段４４は、制御手段４２からの指示信号ＤＩＲ２に応じて、図５に示す情報ＩＦＯ１を記憶手段４３から読み出す。そして、作成手段４４は、情報ＩＦＯ１の接続可能リストＣＮＬ１１（図６の（ａ）参照）に基づいて、端末装置１１が基地局１に接続可能であることを検知する。
【０１６１】
また、作成手段４４は、情報ＩＦＯ１の接続可能リストＣＮＬ１２（図６の（ｂ）参照）に基づいて、端末装置１２が基地局１〜３に接続可能であることを検知する。
【０１６２】
以下、同様にして、作成手段４４は、情報ＩＦＯ１の接続可能リストＣＮＬ１３（図６の（ｃ）参照）に基づいて、端末装置１３が基地局２，３に接続可能であることを検知し、情報ＩＦＯ１の接続可能リストＣＮＬ１４（図６の（ｄ）参照）に基づいて、端末装置１４が基地局３に接続可能であることを検知する。
【０１６３】
そうすると、作成手段４４は、その検知結果に基づいて、基地局１〜３と端末装置１１〜１４との間に接続可能な無線通信リンクＭＬ１〜ＭＬ７（＝点線で示されている）を張る（図７の（ｂ）参照）。
【０１６４】
基地局１は、端末装置１１，１２との間でそれぞれ接続可能な無線通信リンクＭＬ１，ＭＬ２を有するので、制御装置２０の作成手段４４は、基地局１が端末装置１１と無線通信を行うときの送信速度Ｒａｔｅ１，１１と、基地局１が端末装置１２と無線通信を行うときの送信速度Ｒａｔｅ１，１２とを求め、決定手段４５は、基地局１における消費電力ＰＡＰ１を求める。
【０１６５】
より具体的には、作成手段４４は、情報ＩＦＯ１の第１行目の受信信号強度ＲＳＳＩ１１，１に基づいて、受信信号強度ＲＳＳＩ１１，１に対応する送信速度Ｒａｔｅ１，１１をテーブルＴＢＬ１を参照して検出する。また、作成手段４４は、情報ＩＦＯ１の第２行目の受信信号強度ＲＳＳＩ１２，１に基づいて、受信信号強度ＲＳＳＩ１２，１に対応する送信速度Ｒａｔｅ１，１２をテーブルＴＢＬ１を参照して検出する。
【０１６６】
送信速度Ｒａｔｅ１，１１は、基地局１が端末装置１１と無線通信を行うときの基地局１における送信速度であり、送信速度Ｒａｔｅ１，１２は、基地局１が端末装置１２と無線通信を行うときの基地局１における送信速度である。
【０１６７】
そして、作成手段４４は、その検出した送信速度Ｒａｔｅ１，１１，Ｒａｔｅ１，１２を決定手段４５へ出力する。
【０１６８】
決定手段４５は、送信速度Ｒａｔｅ１，１１，Ｒａｔｅ１，１２を受ける。そして、決定手段４５は、テーブルＴＢＬ１を参照して、送信速度Ｒａｔｅ１，１１に対応する消費電力ＰＴＸ１（Ｒａｔｅ１，１１）を検出し、送信速度Ｒａｔｅ１，１２に対応する消費電力ＰＴＸ１（Ｒａｔｅ１，１２）を検出する。
【０１６９】
消費電力ＰＴＸ１（Ｒａｔｅ１，１１）は、基地局１が端末装置１１と無線通信を行うときの基地局１における単位データ当たりの消費電力であり、消費電力ＰＴＸ１（Ｒａｔｅ１，１２）は、基地局１が端末装置１２と無線通信を行うときの基地局１における単位データ当たりの消費電力である。
【０１７０】
そして、決定手段４５は、情報ＩＦＯ１の第１行目のデータ通信量Ｂｄｏｗｎ１，１１および第２行目のデータ通信量Ｂｄｏｗｎ１，１２と、消費電力Ｐｉｄｌｅ１と、その検出した消費電力ＰＴＸ１（Ｒａｔｅ１，１１），ＰＴＸ１（Ｒａｔｅ１，１２）とを式（１）に代入して基地局１における消費電力ＰＡＰ１を求める。
【０１７１】
また、基地局２は、端末装置１２，１３との間でそれぞれ無線通信リンクＭＬ３，ＭＬ４を有するので、作成手段４４および決定手段４５は、同様にして、基地局２が端末装置１２と無線通信を行うときの送信速度Ｒａｔｅ２，１２と、基地局２が端末装置１３と無線通信を行うときの送信速度Ｒａｔｅ２，１３と、基地局２における消費電力ＰＡＰ２とを求める。
【０１７２】
更に、基地局３は、端末装置１２〜１４との間でそれぞれ無線通信リンクＭＬ５〜ＭＬ７を有するので、作成手段４４および決定手段４５は、同様にして、基地局３が端末装置１２と無線通信を行うときの送信速度Ｒａｔｅ３，１２と、基地局３が端末装置１３と無線通信を行うときの送信速度Ｒａｔｅ３，１３と、基地局３が端末装置１４と無線通信を行うときの送信速度Ｒａｔｅ３，１４と、基地局３における消費電力ＰＡＰ３とを求める。
【０１７３】
そうすると、作成手段４４は、次の２つの条件を用いて、各端末装置１１〜１４が自己の要求最低速度ＲａｔｅＭＩＮｉにできる限り近い送信速度で無線通信可能な基地局を接続可能な基地局として決定し、基地局１〜３と端末装置１１〜１４との間に無線通信用のリンクを張る。
【０１７４】
（Ｃｎｄ１）端末装置の要求最低速度を満たす基地局を接続可能な基地局とし、リンクを張る。
【０１７５】
（Ｃｎｄ２）要求最低速度を満たす基地局が無い場合、最も高い送信速度が得られる基地局を接続可能な基地局とし、リンクを張る。
【０１７６】
より具体的には、作成手段４４は、情報ＩＦＯ１の第１行目の要求最低速度ＲａｔｅＭＩＮ１１と、送信速度Ｒａｔｅ１，１１とに基づいて、基地局１の送信速度Ｒａｔｅ１，１１が要求最低速度ＲａｔｅＭＩＮ１１以上であれば、基地局１を接続可能な基地局として基地局１と端末装置１１との間に無線通信リンクＭＬＣ１（実線で示されている）を張る（図７の（ｃ）参照）。また、作成手段４４は、送信速度Ｒａｔｅ１，１１が要求最低速度ＲａｔｅＭＩＮ１１よりも小さいとき、端末装置１１が基地局１とのみ接続可能であるので、基地局１の送信速度Ｒａｔｅ１，１１を最も高い送信速度とみなして基地局１と端末装置１１との間に無線通信リンクＭＬＣ１（実線で示されている）を張る（図７の（ｃ）参照）。
【０１７７】
引き続いて、作成手段４４は、情報ＩＦＯ１の第２行目の要求最低速度ＲａｔｅＭＩＮ１２と、送信速度Ｒａｔｅ１，１２，Ｒａｔｅ２，１２，Ｒａｔｅ３，１２とに基づいて、同様にして、基地局１と端末装置１２との間、基地局２と端末装置１２との間、基地局３と端末装置１２との間にそれぞれ無線通信リンクＭＬＣ２，ＭＬＣ３，ＭＬＣ５（実線で示されている）を張る（図７の（ｃ）参照）。
【０１７８】
以下、同様にして、作成手段４４は、基地局３と端末装置１３との間、および基地局３と端末装置１４との間にそれぞれ無線通信リンクＭＬＣ６，ＭＬＣ７（実線で示されている）を張り、リンク情報ＬＫＩＦ１を作成する（図７の（ｃ）参照）。
【０１７９】
なお、上記の２つの条件（Ｃｎｄ１），（Ｃｎｄ２）を用いて各端末装置が接続可能な基地局を決定するとき、条件（Ｃｎｄ１）を用いて接続可能な基地局が決定されなければ、条件（Ｃｎｄ２）が用いられるので、上記の２つの条件（Ｃｎｄ１），（Ｃｎｄ２）を用いて各端末装置が接続可能な基地局を決定することは、各端末装置ｉの要求最低速度ＲａｔｅＭＩＮｉにできる限り近い送信速度で無線通信が可能な基地局を接続可能な基地局として決定し、基地局と端末装置との間にリンクを張ることに相当する。
【０１８０】
作成手段４４は、リンク情報ＬＫＩＦ１を作成すると、その作成したリンク情報ＬＫＩＦ１を決定手段４５へ出力する。
【０１８１】
決定手段４５は、リンク情報ＬＫＩＦ１を受け、その受けたリンク情報ＬＫＩＦ１に基づいて、次の条件を用いて基地局１〜３から稼動すべき基地局とスリープすべき基地局とを決定する。
【０１８２】
（Ｃｎｄ３）ある端末装置にとって、唯一の接続可能な基地局である場合、その基地局を稼動基地局とする。
【０１８３】
（Ｃｎｄ４）稼動基地局とした基地局と接続可能である端末装置の、稼動基地局以外の基地局との無線通信リンクを削除する。
【０１８４】
（Ｃｎｄ５）端末装置と無線通信リンクが無くなった基地局をスリープ基地局とする。
【０１８５】
（Ｃｎｄ６）端末装置との間で無線通信リンクを最も多く有する基地局を稼動基地局とする。
【０１８６】
（Ｃｎｄ６−１）無線通信リンクが同数である基地局が複数存在する場合、ランダムに稼動基地局を選択する。
【０１８７】
（Ｃｎｄ６−２）無線通信リンクが同数である基地局が複数存在する場合、消費電力が最も少ない基地局を稼動基地局とする。
【０１８８】
（Ｃｎｄ７）全ての基地局が稼動基地局またはスリープ基地局になるまで、条件（Ｃｎｄ４）〜（Ｃｎｄ６）を繰り返し実行する。
【０１８９】
より具体的には、決定手段４５は、リンク情報ＬＫＩＦ１に基づいて、端末装置１１，１３，１４にとって、それぞれ、基地局１，３が唯一の接続可能な基地局であることを検知し、条件（Ｃｎｄ３）を用いて、基地局１，３を稼動基地局と決定する（図７の（ｄ）参照）。
【０１９０】
決定手段４５は、次に、条件（Ｃｎｄ４）を適用して、端末装置１２が稼動基地局である基地局１との間で無線通信リンクＭＬＣ２を有し、かつ、稼動基地局である基地局３との間で無線通信リンクＭＬＣ５を有するので、基地局２と端末装置１２との間の無線通信リンクＭＬＣ３を削除する。また、決定手段４５は、端末装置１３が稼動基地局である基地局３との間で無線通信リンクＭＬＣ６を有するので、基地局２と端末装置１３との間の無線通信リンクＭＬ４を削除し、基地局３と端末装置１３との間で無線通信リンクＭＬＣ６を張る（図７の（ｄ）参照）。
【０１９１】
引き続いて、決定手段４５は、条件（Ｃｎｄ５）を適用して、端末装置１１〜１４との間で無線通信リンクが無くなった基地局２をスリープ基地局として決定する（図７の（ｅ）参照）。
【０１９２】
更に、決定手段４５は、条件（Ｃｎｄ６）を実行する。この場合、基地局３は、端末装置１２〜１４との間で最も多い３個の無線通信リンクＭＬＣ５，ＭＬＣ６，ＭＬＣ７を有するので、決定手段４５は、基地局３が条件（Ｃｎｄ６）も満たすことを確認し、基地局３を稼動基地局とする。
【０１９３】
この段階で、基地局１〜３の全てが稼動基地局またはスリープ基地局になっているので、決定手段４５は、稼動基地局またはスリープ基地局の決定動作を終了し、稼動／スリープリスト＝［基地局１：稼動基地局、基地局２：スリープ基地局、基地局３：稼動基地局］を作成して制御手段４２へ出力する。
【０１９４】
無線通信システム１００が基地局１〜５と端末装置１１〜１６とからなる場合について、稼働基地局およびスリープ基地局の決定方法を説明する。
【０１９５】
図８は、図４に示す記憶手段４３における他の記憶内容の概念図である。また、図９は、接続可能リストＣＮＬｉの他の具体例を示す図である。更に、図１０および図１１は、それぞれ、稼働基地局およびスリープ基地局の他の決定方法を説明するための第１および第２の概念図である。
【０１９６】
無線通信システム１００が基地局１〜５と端末装置１１〜１６とからなる場合、制御装置２０の制御手段４２は、図５において説明した方法と同じ方法によって、端末装置１１〜１６から情報を収集し、記憶手段４３は、図８に示す情報ＩＦＯ２を記憶している。なお、図８に示す接続可能リストＣＮＬ１１〜ＣＮＬ１６の内容は、それぞれ、図９の（ａ）〜（ｆ）に示されている。また、基地局１〜５は、端末装置１１〜１６によってウェイクアップされた基地局である。
【０１９７】
制御装置２０の作成手段４４は、制御手段４２からの指示信号ＤＩＲ２に応じて、図８に示す情報ＩＦＯ２を記憶手段４３から読み出す。そして、作成手段４４は、情報ＩＦＯ２の接続可能リストＣＮＬ１１（図９の（ａ）参照）に基づいて、端末装置１１が基地局１に接続可能であることを検知する。
【０１９８】
また、作成手段４４は、情報ＩＦＯ２の接続可能リストＣＮＬ１２（図９の（ｂ）参照）に基づいて、端末装置１２が基地局１〜３に接続可能であることを検知する。
【０１９９】
以下、同様にして、作成手段４４は、情報ＩＦＯ２の接続可能リストＣＮＬ１３（図９の（ｃ）参照）に基づいて、端末装置１３が基地局２，３に接続可能であることを検知し、情報ＩＦＯ２の接続可能リストＣＮＬ１４（図９の（ｄ）参照）に基づいて、端末装置１４が基地局２，３，４に接続可能であることを検知し、情報ＩＦＯ２の接続可能リストＣＮＬ１５（図９の（ｅ）参照）に基づいて、端末装置１５が基地局４，５に接続可能であることを検知し、情報ＩＦＯ２の接続可能リストＣＮＬ１６（図９の（ｆ）参照）に基づいて、端末装置１６が基地局４，５に接続可能であることを検知する。
【０２００】
そうすると、作成手段４４は、その検知結果に基づいて、基地局１〜５と端末装置１１〜１６との間に接続可能な無線通信リンクＭＬ１１〜ＭＬ２３（＝点線で示されている）を張る（図１０の（ｂ）参照）。
【０２０１】
基地局１は、端末装置１１，１２との間でそれぞれ接続可能な無線通信リンクＭＬ１１，ＭＬ１２を有するので、制御装置２０の作成手段４４は、基地局１が端末装置１１と無線通信を行うときの送信速度Ｒａｔｅ１，１１と、基地局１が端末装置１２と無線通信を行うときの送信速度Ｒａｔｅ１，１２とを求める。
【０２０２】
より具体的には、作成手段４４は、情報ＩＦＯ２の第１行目の受信信号強度ＲＳＳＩ１１，１に基づいて、受信信号強度ＲＳＳＩ１１，１に対応する送信速度Ｒａｔｅ１，１１をテーブルＴＢＬ１を参照して検出する。また、作成手段４４は、情報ＩＦＯ２の第２行目の受信信号強度ＲＳＳＩ１２，１に基づいて、受信信号強度ＲＳＳＩ１２，１に対応する送信速度Ｒａｔｅ１，１２をテーブルＴＢＬ１を参照して検出する。
【０２０３】
また、基地局２は、端末装置１２，１３，１４との間でそれぞれ無線通信リンクＭＬ１３，ＭＬ１５，ＭＬ１７を有するので、作成手段４４は、同様にして、基地局２が端末装置１２と無線通信を行うときの送信速度Ｒａｔｅ２，１２と、基地局２が端末装置１３と無線通信を行うときの送信速度Ｒａｔｅ２，１３と、基地局２が端末装置１４と無線通信を行うときの送信速度Ｒａｔｅ２，１４とを求める。
【０２０４】
更に、基地局３は、端末装置１２〜１４との間でそれぞれ無線通信リンクＭＬ１４，ＭＬ１６，ＭＬ１８を有するので、作成手段４４は、同様にして、基地局３が端末装置１２と無線通信を行うときの送信速度Ｒａｔｅ３，１２と、基地局３が端末装置１３と無線通信を行うときの送信速度Ｒａｔｅ３，１３と、基地局３が端末装置１４と無線通信を行うときの送信速度Ｒａｔｅ３，１４とを求める。
【０２０５】
更に、基地局４は、端末装置１４〜１６との間でそれぞれ無線通信リンクＭＬ１９，ＭＬ２０，ＭＬ２２を有するので、作成手段４４は、同様にして、基地局４が端末装置１４と無線通信を行うときの送信速度Ｒａｔｅ４，１４と、基地局４が端末装置１５と無線通信を行うときの送信速度Ｒａｔｅ４，１５と、基地局４が端末装置１６と無線通信を行うときの送信速度Ｒａｔｅ４，１６とを求める。
【０２０６】
更に、基地局５は、端末装置１５，１６との間でそれぞれ無線通信リンクＭＬ２１，ＭＬ２３を有するので、作成手段４４は、同様にして、基地局５が端末装置１５と無線通信を行うときの送信速度Ｒａｔｅ５，１５と、基地局５が端末装置１６と無線通信を行うときの送信速度Ｒａｔｅ５，１６とを求める。
【０２０７】
そうすると、作成手段４４は、上記の２つの条件（Ｃｎｄ１），（Ｃｎｄ２）を用いて、各端末装置１１〜１６が自己の要求最低速度ＲａｔｅＭＩＮｉを満たす、または要求最低速度ＲａｔｅＭＩＮｉにできる限り近い送信速度で無線通信可能な基地局を接続可能な基地局として決定し、基地局１〜５と端末装置１１〜１６との間に無線通信リンクを張る。
【０２０８】
より具体的には、作成手段４４は、情報ＩＦＯ２の第１行目の要求最低速度ＲａｔｅＭＩＮ１１と、送信速度Ｒａｔｅ１，１１とに基づいて、図７において説明した方法と同じ方法によって、基地局１を接続可能な基地局として基地局１と端末装置１１との間に無線通信リンクＭＬＣ１１（実線で示されている）を張る（図１０の（ｃ）参照）。
【０２０９】
引き続いて、作成手段４４は、情報ＩＦＯ２の第２行目の要求最低速度ＲａｔｅＭＩＮ１２と、送信速度Ｒａｔｅ１，１２，Ｒａｔｅ２，１２，Ｒａｔｅ３，１２とに基づいて、同様にして、基地局１と端末装置１２との間、および基地局２と端末装置１２との間にそれぞれ無線通信リンクＭＬＣ１２，ＭＬＣ１３（実線で示されている）を張る（図１０の（ｃ）参照）。
【０２１０】
以下、同様にして、作成手段４４は、基地局２と端末装置１３との間、基地局３と端末装置１３との間、基地局３と端末装置１４との間、基地局４と端末装置１４との間、基地局４と端末装置１５との間、基地局４と端末装置１６との間および基地局５と端末装置１６との間にそれぞれ無線通信リンクＭＬＣ１５，ＭＬＣ１６，ＭＬＣ１８，ＭＬＣ１９，ＭＬＣ２０，ＭＬＣ２２，ＭＬＣ２３（実線で示されている）を張り、リンク情報ＬＫＩＦ２を作成する（図１０の（ｃ）参照）。
【０２１１】
作成手段４４は、リンク情報ＬＫＩＦ２を作成すると、その作成したリンク情報ＬＫＩＦ２と、送信速度Ｒａｔｅ１，１１，Ｒａｔｅ１，１２，Ｒａｔｅ２，１２，Ｒａｔｅ２，１３，Ｒａｔｅ２，１４，Ｒａｔｅ３，１２，Ｒａｔｅ３，１３，Ｒａｔｅ３，１４，Ｒａｔｅ４，１４，Ｒａｔｅ４，１５，Ｒａｔｅ４，１６，Ｒａｔｅ５，１５，Ｒａｔｅ５，１６とを決定手段４５へ出力する。
【０２１２】
決定手段４５は、リンク情報ＬＫＩＦ２と、送信速度Ｒａｔｅ１，１１，Ｒａｔｅ１，１２，Ｒａｔｅ２，１２，Ｒａｔｅ２，１３，Ｒａｔｅ２，１４，Ｒａｔｅ３，１２，Ｒａｔｅ３，１３，Ｒａｔｅ３，１４，Ｒａｔｅ４，１４，Ｒａｔｅ４，１５，Ｒａｔｅ４，１６，Ｒａｔｅ５，１５，Ｒａｔｅ５，１６とを作成手段４４から受ける。また、決定手段４５は、情報ＩＦＯ２を記憶手段４３から読み出す。
【０２１３】
そして、決定手段４５は、送信速度Ｒａｔｅ１，１１に対応する消費電力ＰＴＸ１（Ｒａｔｅ１，１１）をテーブルＴＢＬ１を参照して検出し、送信速度Ｒａｔｅ１，１２に対応する消費電力ＰＴＸ１（Ｒａｔｅ１，１２）をテーブルＴＢＬ１を参照して検出する。
【０２１４】
その後、決定手段４５は、情報ＩＦＯ２の第１行目のデータ通信量Ｂｄｏｗｎ１，１１および第２行目のデータ通信量Ｂｄｏｗｎ１，１２と、消費電力Ｐｉｄｌｅ１と、その検出した消費電力ＰＴＸ１（Ｒａｔｅ１，１１），ＰＴＸ１（Ｒａｔｅ１，１２）とを式（１）に代入して基地局１における消費電力ＰＡＰ１を求める。
【０２１５】
以下、同様にして、決定手段４５は、基地局２における消費電力ＰＡＰ２、基地局３における消費電力ＰＡＰ３、基地局４における消費電力ＰＡＰ４および基地局５における消費電力ＰＡＰ５を求める。
【０２１６】
そうすると、決定手段４５は、その受けたリンク情報ＬＫＩＦ２に基づいて、上記の条件（Ｃｎｄ３）〜（Ｃｎｄ７）を用いて基地局１〜５から稼動基地局とスリープ基地局とを決定する。
【０２１７】
より具体的には、決定手段４５は、リンク情報ＬＫＩＦ２に基づいて、端末装置１１にとって、基地局１が唯一の接続可能な基地局であることを検知し、条件（Ｃｎｄ３）を用いて、基地局１を稼動基地局と決定する（図１０の（ｄ）参照）。
【０２１８】
決定手段４５は、次に、条件（Ｃｎｄ４）を適用して、端末装置１２が稼動基地局である基地局１との間で無線通信リンクＭＬＣ１２を有するので、基地局２と端末装置１２との間の無線通信リンクＭＬＣ１３と、基地局３と端末装置１２との間の無線通信リンクＭＬ１４とを削除する（図１０の（ｄ）参照）。
【０２１９】
その後、決定手段４５は、条件（Ｃｎｄ５）を適用するが、端末装置との間で無線通信リンクが無くなった基地局が存在しないので、引き続いて、条件（Ｃｎｄ６）を適用して、端末装置との間で最も多くの無線通信リンクを有する基地局４を稼働基地局として決定する（図１１の（ｅ）参照）。
【０２２０】
更に、決定手段４５は、条件（Ｃｎｄ４）を再度適用して、無線通信リンクＭＬ１７，ＭＬＣ１８，ＭＬ２１，ＭＬＣ２３を削除する。そして、決定手段４５は、条件（Ｃｎｄ５）を再度適用して、基地局５をスリープ基地局と決定する（図１１の（ｆ）参照）。
【０２２１】
その後、決定手段４５は、条件（Ｃｎｄ６）を再度適用する。この場合、基地局２，３は、端末装置１３との間でそれぞれ１つの無線通信リンクＭＬＣ１５，ＭＬＣ１６を有する。従って、決定手段４５は、条件（Ｃｎｄ６−１）を適用して、基地局２，３からランダムに基地局２を稼働基地局として決定する。
【０２２２】
また、決定手段４５は、条件（Ｃｎｄ６−２）を適用して、消費電力が最も少ない基地局２を稼働基地局として決定する（図１１の（ｆ）参照）。この場合、決定手段４５は、基地局２の消費電力ＰＡＰ２と端末装置１３の消費電力ＰＳＴＡ１３，２との和である総合消費電力Ｐｔｏｔａｌ１と、基地局３の消費電力ＰＡＰ３と端末装置１３の消費電力ＰＳＴＡ１３，３との和である総合消費電力Ｐｔｏｔａｌ２とを演算し、総合消費電力Ｐｔｏｔａｌ１，Ｐｔｏｔａｌ２のうち、より小さい総合消費電力Ｐｔｏｔａｌ１が得られる基地局２を稼働基地局として決定する。
【０２２３】
引き続いて、決定手段４５は、条件（Ｃｎｄ４）を適用し、基地局３と端末装置１３との間の無線通信リンクＭＬＣ１６を削除する。そして、決定手段４５は、条件（Ｃｎｄ５）を再度適用して、基地局３をスリープ基地局と決定する（図１１の（ｇ）参照）。
【０２２４】
この段階で、基地局１〜５の全てが稼動基地局またはスリープ基地局に決定されているので、決定手段４５は、稼動基地局またはスリープ基地局の決定動作を終了し、稼動／スリープリスト＝［基地局１：稼動基地局、基地局２：稼働基地局、基地局３：スリープ基地局、基地局４：稼働基地局、基地局５：スリープ基地局］を作成して制御手段４２へ出力する。
【０２２５】
上述したように、条件（Ｃｎｄ１），（Ｃｎｄ２）を適用することによって、端末装置１１〜１Ｋは、基地局１〜ｍとの間で自己の要求最低速度ＲａｔｅＭＩＮｉにできる限り近い送信速度で無線通信を行うことができる。
【０２２６】
また、条件（Ｃｎｄ３）を適用することによって、基地局１〜ｍが配置された領域の端部近くに存在する端末装置は、基地局（基地局１〜ｍのいずれか）との間で無線通信リンクを確保する。
【０２２７】
更に、条件（Ｃｎｄ４），（Ｃｎｄ５），（Ｃｎｄ６）を適用することによって、できるだけ多くの端末装置が稼動基地局との間で無線通信リンクを確立し、不要な基地局がスリープする。即ち、稼動すべき基地局の個数が最小になる。
【０２２８】
従って、条件（Ｃｎｄ３）〜（Ｃｎｄ７）を適用することによって、無線通信システム１００内に存在する端末装置１１〜１Ｋの全ての基地局（起動している基地局）への接続を確保するための必要最小限の基地局を決定できる。
【０２２９】
そして、条件（Ｃｎｄ６−２）を適用することによって、稼動すべき基地局の個数を最小限にした上で無線通信システム１００における消費電力を少なくできる。この場合、稼動すべき基地局の消費電力と、その基地局に接続する端末装置の消費電力との合計である総合消費電力が少なくなる基地局を稼動基地局と決定するので、無線通信システム１００における消費電力を少なくできることになる。このように、この発明の実施の形態においては、端末装置の消費電力も併せて消費電力が少なくなる基地局を稼動基地局と決定することを特徴とする。
【０２３０】
この発明の実施の形態においては、決定手段４５は、次の条件（Ｃｎｄ３），（Ｃｎｄ４），（Ｃｎｄ５），（Ｃｎｄ６Ａ），（Ｃｎｄ６Ｂ），（Ｃｎｄ７）を用いて稼働基地局とスリープ基地局とを決定してもよい。
【０２３１】
（Ｃｎｄ３）ある端末装置にとって、唯一の接続可能な基地局である場合、その基地局を稼動基地局とする。
【０２３２】
（Ｃｎｄ４）稼動基地局とした基地局と接続可能である端末装置の、稼動基地局以外の基地局との無線通信リンクを削除する。
【０２３３】
（Ｃｎｄ５）端末装置と無線通信リンクが無くなった基地局をスリープ基地局とする。
【０２３４】
（Ｃｎｄ６Ａ）ある端末装置にとって、唯一の接続可能な基地局である場合、その基地局を稼動基地局とする。
【０２３５】
（Ｃｎｄ６Ｂ）端末装置との無線通信リンクが最も少ない基地局をスリープ基地局とし、そのスリープ基地局とした基地局に接続可能な無線通信リンクを削除する。
【０２３６】
（Ｃｎｄ６Ｂ−１）無線通信リンクが同数である基地局が複数存在する場合、ランダムにスリープ基地局を選択する。
【０２３７】
（Ｃｎｄ６Ｂ−２）無線通信リンクが同数である基地局が複数存在する場合、消費電力が最も多い基地局をスリープ基地局とする。
【０２３８】
（Ｃｎｄ７）全ての基地局が稼動基地局またはスリープ基地局になるまで、条件（Ｃｎｄ４），（Ｃｎｄ５），（Ｃｎｄ６Ａ），（Ｃｎｄ６Ｂ）を繰り返し実行する。
【０２３９】
図１２は、稼働基地局およびスリープ基地局の更に他の決定方法を説明するための概念図である。
【０２４０】
図１０および図１２を参照して、条件（Ｃｎｄ３），（Ｃｎｄ４），（Ｃｎｄ５），（Ｃｎｄ６Ａ），（Ｃｎｄ６Ｂ），（Ｃｎｄ７）を用いて稼動基地局およびスリープ基地局を決定する方法について説明する。
【０２４１】
リンク情報ＬＫＩＦ２を作成し、基地局１が稼動基地局と決定されるまでの動作は、図１０に示すとおりである。
【０２４２】
制御装置２０の決定手段４５は、図１０の（ｄ）において、基地局１を稼動基地局と決定し、基地局２と端末装置１２との間の無線通信リンクＭＬＣ１３と、基地局３と端末装置１２との間の無線通信リンクＭＬ１４とを削除した後、条件（Ｃｎｄ５）を適用する。しかし、端末装置との間で無線通信リンクが無くなった基地局は、存在しないので、決定手段４５は、次に、条件（Ｃｎｄ６Ａ）を適用する。
【０２４３】
しかし、条件（Ｃｎｄ６Ａ）を満たす基地局は、存在しないので、決定手段４５は、条件（Ｃｎｄ６Ｂ）を適用する。この段階で稼動基地局またはスリープ基地局に決定されていない基地局２〜５のうち、基地局２，３，５は、端末装置との間で、同じ２個の無線通信リンクを有する。従って、決定手段４５は、例えば、条件（Ｃｎｄ６Ｂ−１）を適用して、基地局３をスリープ基地局と決定し、基地局３に接続可能な無線通信リンクＭＬＣ１６，ＭＬＣ１８を削除する（図１２の（ｅ）参照）。
【０２４４】
その後、決定手段４５は、条件（Ｃｎｄ４），（Ｃｎｄ５）を再び適用するが、条件（Ｃｎｄ４），（Ｃｎｄ５）を満たす基地局が存在しないので、条件（Ｃｎｄ６Ａ）を適用する。そして、決定手段４５は、基地局２が端末装置１３にとって唯一の無線通信リンクＭＬＣ１５を有するので、基地局２を稼動基地局と決定する（図１２の（ｆ）参照）。
【０２４５】
引き続いて、決定手段４５は、条件（Ｃｎｄ６Ｂ）を適用し、端末装置との無線通信リンク数が最も少ない基地局５をスリープ基地局と決定し、基地局５に接続可能な無線通信リンクＭＬ２１，ＭＬＣ２３を削除する。そして、決定手段４５は、更に、条件（Ｃｎｄ４）を適用して、基地局４と端末装置１４との間の無線通信リンクＭＬＣ１９を削除するとともに、基地局２と端末装置１４との間に無線通信リンクＭＬＣ１７を張る（図１２の（ｇ）参照）。
【０２４６】
その後、決定手段４５は、条件（Ｃｎｄ５）を満たす基地局が存在しないので、条件（Ｃｎｄ６Ａ）を適用して、基地局４を稼動基地局と決定する（図１２の（ｈ）参照）。
【０２４７】
この段階で、基地局１〜５の全てが稼動基地局またはスリープ基地局に決定されているので、決定手段４５は、稼動基地局またはスリープ基地局の決定動作を終了し、稼動／スリープリスト＝［基地局１：稼動基地局、基地局２：稼働基地局、基地局３：スリープ基地局、基地局４：稼働基地局、基地局５：スリープ基地局］を作成して制御手段４２へ出力する。
【０２４８】
なお、決定手段４５は、図１２の（ｅ）において、条件（Ｃｏｎｄ６Ｂ−２）を用いて基地局２，３，５のいずれかをスリープ基地局と決定してもよい。この場合、決定手段４５は、基地局２の消費電力ＰＡＰ２と端末装置１３の消費電力ＰＳＴＡ１３，２と端末装置１４の消費電力ＰＳＴＡ１４，２との和である総合消費電力Ｐｔｏｔａｌ３と、基地局３の消費電力ＰＡＰ３と端末装置１３の消費電力ＰＳＴＡ１３，３と端末装置１４の消費電力ＰＳＴＡ１４，３との和である総合消費電力Ｐｔｏｔａｌ４と、基地局５の消費電力ＰＡＰ５と端末装置１５の消費電力ＰＳＴＡ１５，５と端末装置１６の消費電力ＰＳＴＡ１６，５との和である総合消費電力Ｐｔｏｔａｌ５とを演算し、総合消費電力Ｐｔｏｔａｌ３，Ｐｔｏｔａｌ４，Ｐｔｏｔａｌ５のうち、最も多い総合消費電力Ｐｔｏｔａｌ４が得られる基地局３をスリープ基地局として決定する。
【０２４９】
また、図１２の（ｅ）において、基地局４がスリープ基地局と決定された場合、決定手段４５は、稼動／スリープリスト＝［基地局１：稼動基地局、基地局２：稼働基地局、基地局３：スリープ基地局、基地局４：スリープ基地局、基地局５：稼動基地局］を作成して制御手段４２へ出力する。
【０２５０】
上述したように、条件（Ｃｎｄ１），（Ｃｎｄ２）を適用することによって、端末装置１１〜１Ｋは、基地局１〜ｍとの間で自己の要求最低速度ＲａｔｅＭＩＮｉにできる限り近い送信速度で無線通信を行うことができる。
【０２５１】
また、条件（Ｃｎｄ３）を適用することによって、基地局１〜ｍが配置された領域の端部近くに存在する端末装置も基地局（基地局１〜ｍのいずれか）との間で無線通信リンクを確保する。
【０２５２】
更に、条件（Ｃｎｄ４），（Ｃｎｄ５）を適用することによって、端末装置との間の無線通信リンクができる限り稼動基地局に集約され、不要な基地局がスリープする。即ち、稼動すべき基地局の個数が減少する。
【０２５３】
更に、条件（Ｃｎｄ６Ａ）を適用することによって、孤立する端末装置の発生が防止される。そして、条件Ａ（Ｃｎｄ６Ａ）を適用した後に条件（Ｃｎｄ４），（Ｃｎｄ５）を適用することによって、端末装置との間の無線通信リンクができる限り稼動基地局に集約され、不要な基地局がスリープする。その結果、稼動すべき基地局の個数が更に減少する。
【０２５４】
更に、条件（Ｃｎｄ６Ｂ）を適用することによって、端末装置との間の無線通信リンク数が多い基地局が、稼動すべき基地局の候補として残る。そして、条件（Ｃｎｄ６Ｂ）を適用した後に条件（Ｃｎｄ４），（Ｃｂｄ５）を適用することによって、端末装置との間の無線通信リンクができる限り稼動基地局に集約され、不要な基地局がスリープする。その結果、稼動すべき基地局の個数が更に減少する。
【０２５５】
従って、条件（Ｃｎｄ３）〜（Ｃｎｄ５），（Ｃｎｄ６Ａ），（Ｃｎｄ６Ｂ）を適用することによって、無線通信システム１００内に存在する端末装置１１〜１Ｋの全ての基地局（起動している基地局）への接続を確保するための必要最小限の基地局を決定できる。
【０２５６】
そして、条件（Ｃｎｄ６Ｂ−２）を適用することによって、稼動すべき基地局の個数を最小限にした上で無線通信システム１００における消費電力を少なくできる。この場合、稼動すべき基地局の消費電力と、その基地局に接続する端末装置の消費電力との合計である総合消費電力が少なくなる基地局を最終的に稼動基地局と決定するので、無線通信システム１００における消費電力を少なくできることになる。このように、条件（Ｃｎｄ３）〜（Ｃｎｄ５），（Ｃｎｄ６Ａ），（Ｃｎｄ６Ｂ）を用いた場合も、端末装置の消費電力も併せて消費電力が少なくなる基地局を稼動基地局と決定することを特徴とする。
【０２５７】
更に、決定手段４５は、次の条件（Ｃｎｄ３），（Ｃｎｄ４），（Ｃｎｄ５），（Ｃｎｄ６Ａ），（Ｃｎｄ６Ｂ），（Ｃｎｄ６Ｃ），（Ｃｎｄ７）を用いて稼働基地局とスリープ基地局とを決定してもよい。
【０２５８】
（Ｃｎｄ３）ある端末装置にとって、唯一の接続可能な基地局である場合、その基地局を稼動基地局とする。
【０２５９】
（Ｃｎｄ４）稼動基地局とした基地局と接続可能である端末装置の、稼動基地局以外の基地局との無線通信リンクを削除する。
【０２６０】
（Ｃｎｄ５）端末装置と無線通信リンクが無くなった基地局をスリープ基地局とする。
【０２６１】
（Ｃｎｄ６Ａ）ある端末装置にとって、唯一の接続可能な基地局である場合、その基地局を稼動基地局とする。
【０２６２】
（Ｃｎｄ６Ｂ）端末装置との無線通信リンクが最も少ない基地局をスリープ基地局とし、そのスリープ基地局とした基地局に接続可能な無線通信リンクを削除する。
【０２６３】
（Ｃｎｄ６Ｂ−１）無線通信リンクが同数である基地局が複数存在する場合、ランダムにスリープ基地局を選択する。
【０２６４】
（Ｃｎｄ６Ｂ−２）無線通信リンクが同数である基地局が複数存在する場合、消費電力が最も多い基地局をスリープ基地局とする。
【０２６５】
（Ｃｎｄ６Ｃ）端末装置において、稼働基地局が現在の基地局よりも近くに存在する場合、近くの稼働基地局に接続し直す。
【０２６６】
（Ｃｎｄ７）全ての基地局が稼動基地局またはスリープ基地局になるまで、条件（Ｃｎｄ４），（Ｃｎｄ５），（Ｃｎｄ６Ａ），（Ｃｎｄ６Ｂ），（Ｃｎｄ６Ｃ）を繰り返し実行する。
【０２６７】
なお、決定手段４５は、受信信号強度ＲＳＳＩｉ，ｊと距離との関係を示すグラフを予め保持している。そして、決定手段４５は、その保持しているグラフを参照して、各端末装置１１〜１Ｋから送信された受信信号強度ＲＳＳＩｉ，ｊに対応する距離を求め、その求めた距離を用いて条件（Ｃｎｄ６Ｂ）を適用する。
【０２６８】
図１３は、稼働基地局およびスリープ基地局の更に他の決定方法を説明するための概念図である。
【０２６９】
図１０および図１３を参照して、条件（Ｃｎｄ３），（Ｃｎｄ４），（Ｃｎｄ５），（Ｃｎｄ６Ａ），（Ｃｎｄ６Ｂ），（Ｃｎｄ６Ｃ），（Ｃｎｄ７）を用いて稼動基地局およびスリープ基地局を決定する方法について説明する。
【０２７０】
リンク情報ＬＫＩＦ２を作成し、基地局１が稼動基地局と決定されるまでの動作は、図１０に示すとおりである。
【０２７１】
制御装置２０の決定手段４５は、図１０の（ｄ）において、基地局１を稼動基地局と決定し、基地局２と端末装置１２との間の無線通信リンクＭＬＣ１３と、基地局３と端末装置１２との間の無線通信リンクＭＬ１４とを削除した後、条件（Ｃｎｄ５），（Ｃｎｄ６Ａ）を適用する。しかし、条件（Ｃｎｄ５），（Ｃｎｄ６Ａ）を満たす基地局は、存在しないので、決定手段４５は、次に、条件（Ｃｎｄ６Ｂ）を適用する。
【０２７２】
この段階で稼動基地局またはスリープ基地局に決定されていない基地局２〜５のうち、基地局２，３，５は、端末装置１３〜１６との間で同じ２個の無線通信リンクを有する。
【０２７３】
従って、決定手段４５は、例えば、条件（Ｃｎｄ６Ｂ−１）を適用して基地局５をスリープ基地局とし、無線通信リンクＭＬ２１，ＭＬＣ２３を削除する（図１３の（ｅ）参照）。
【０２７４】
その後、決定手段４５は、条件（Ｃｎｄ６Ｃ）を適用するが、条件（Ｃｎｄ６Ｃ）を満たす基地局が存在しないので、条件（Ｃｎｄ４），（Ｃｎｄ５）を再度適用する。
【０２７５】
しかし、条件（Ｃｎｄ４），（Ｃｎｄ５）を満たす基地局が存在しないので、決定手段４５は、条件（Ｃｎｄ６Ａ）を適用する。この場合、基地局４が端末装置１６にとって唯一の接続可能な基地局であるので、基地局４を稼動基地局と決定する（図１３の（ｆ）参照）。
【０２７６】
そして、決定手段４５は、条件（Ｃｎｄ６Ｂ）を適用する。この場合、基地局２，３は、端末装置１３，１４との間で同じ２個の無線通信リンクを有するので、例えば、条件（Ｃｎｄ６Ｂ−１）を適用して基地局２をスリープ基地局と決定し、無線通信リンクＭＬＣ１５，ＭＬ１７を削除する（図１３の（ｇ）参照）。
【０２７７】
その後、決定手段４５は、条件（Ｃｎｄ６Ｃ）を適用して、端末装置１４の接続先を基地局３から基地局４に変更する（図１３の（ｇ）参照）。
【０２７８】
引き続いて、決定手段４５は、条件（Ｃｎｄ４），（Ｃｎｄ５）を適用するが、条件（Ｃｎｄ４），（Ｃｎｄ５）を満たす基地局が存在しないので、条件（Ｃｎｄ６Ａ）を適用して基地局３を稼動基地局と決定する（図１３の（ｈ）参照）。
【０２７９】
この段階で、基地局１〜５の全てが稼動基地局またはスリープ基地局に決定されているので、決定手段４５は、稼動基地局またはスリープ基地局の決定動作を終了し、稼動／スリープリスト＝［基地局１：稼動基地局、基地局２：スリープ基地局、基地局３：稼動基地局、基地局４：稼働基地局、基地局５：スリープ基地局］を作成して制御手段４２へ出力する。
【０２８０】
なお、決定手段４５は、図１３の（ｅ）において、条件（Ｃｏｎｄ６Ｂ−２）を用いて基地局２，３，５のいずれかをスリープ基地局と決定してもよい。この場合、決定手段４５は、図１２において説明した方法によって、基地局５をスリープ基地局として決定する。
【０２８１】
上述したように、条件（Ｃｎｄ３），（Ｃｎｄ４），（Ｃｎｄ５），（Ｃｎｄ６Ａ），（Ｃｎｄ６Ｂ），（Ｃｎｄ６Ｃ），（Ｃｎｄ７）は、条件（Ｃｎｄ３），（Ｃｎｄ４），（Ｃｎｄ５），（Ｃｎｄ６Ａ），（Ｃｎｄ６Ｂ），（Ｃｎｄ７）を含むので、条件（Ｃｎｄ３），（Ｃｎｄ４），（Ｃｎｄ５），（Ｃｎｄ６Ａ），（Ｃｎｄ６Ｂ），（Ｃｎｄ７）を適用した場合と同様に、端末装置との間の無線通信リンクができる限り稼動基地局に集約され、不要な基地局がスリープし、稼動すべき基地局の個数が減少する。そして、条件（Ｃｎｄ６Ｃ）を更に適用することによって、端末装置との間の無線通信リンクが更に稼動基地局に集約される。その結果、稼動すべき基地局の個数が最小になる。
【０２８２】
従って、条件（Ｃｎｄ３）〜（Ｃｎｄ５），（Ｃｎｄ６Ａ），（Ｃｎｄ６Ｂ），（Ｃｎｄ６Ｃ）を適用することによって、無線通信システム１００内に存在する端末装置１１〜１Ｋの全ての基地局への接続を確保するための必要最小限の基地局を決定できる。
【０２８３】
その他は、条件（Ｃｎｄ３）〜（Ｃｎｄ５），（Ｃｎｄ６Ａ），（Ｃｎｄ６Ｂ）を適用した場合と同様である。
【０２８４】
図１４は、無線通信システム１００における動作を説明するためのフローチャートである。
【０２８５】
図１４を参照して、無線通信システム１００における動作が開始されると、端末装置１１〜１Ｋは、ウェイクアップ信号を送信し（ステップＳ１）、基地局１〜Ｍのうち、基地局１〜ｍがウェイクアップ信号を受信して起動し、起動信号ＤＲＶ１を制御装置２０へ送信する（ステップＳ２）。
【０２８６】
そして、制御装置２０は、基地局１〜ｍから起動信号ＤＲＶ１を受信し（ステップＳ３）、基地局１〜ｍが起動したことを検知する。
【０２８７】
その後、基地局１〜ｍは、ビーコンフレームをブロードキャストし（ステップＳ４）、端末装置１１〜１Ｋは、バックグランドスキャンを行ってビーコンフレームを受信し、受信信号強度ＲＳＳＩｉ，ｊを検出する（ステップ５）。
【０２８８】
そして、端末装置１１〜１Ｋは、受信したビーコンフレームに基づいて、自己が接続可能な基地局を示す接続可能リストＣＮＬｉを作成するとともに、上述した方法によって消費電力ＰＳＴＡｉ，ｊを演算する（ステップＳ６）。そうすると、端末装置１１〜１Ｋは、自己の要求最低速度ＲａｔｅＭＩＮｉ、接続可能リストＣＮＬｉ、受信信号強度ＲＳＳＩｉ，ｊ、および消費電力ＰＳＴＡｉ，ｊを含むパケット＝［ＭＡＣａｄｄｉ：ＲａｔｅＭＩＮｉ／ＣＮＬｉ／ＲＳＳＩｉ，ｊ／ＰＳＴＡｉ，ｊ］を受信信号強度ＲＳＳＩｉ，ｊが最も大きい基地局へ送信する（ステップＳ７）。
【０２８９】
各基地局１〜ｍは、パケット＝［ＭＡＣａｄｄｉ：ＲａｔｅＭＩＮｉ／ＣＮＬｉ／ＲＳＳＩｉ，ｊ／ＰＳＴＡｉ，ｊ］を受信し（ステップＳ８）、ＭＡＣａｄｄｉ：ＲａｔｅＭＩＮｉ／ＣＮＬｉ／ＲＳＳＩｉ，ｊ／ＰＳＴＡｉ，ｊと、データ通信量Ｂｄｏｗｎｊ，ｉとを制御装置２０へ送信する（ステップＳ９）。
【０２９０】
制御装置２０は、ＭＡＣａｄｄｉ：ＲａｔｅＭＩＮｉ／ＣＮＬｉ／ＲＳＳＩｉ，ｊ／ＰＳＴＡｉ，ｊと、データ通信量Ｂｄｏｗｎｊ，ｉとを受信し（ステップＳ１０）、ＭＡＣａｄｄｉ：ＲａｔｅＭＩＮｉ／ＣＮＬｉ／ＲＳＳＩｉ，ｊ／ＰＳＴＡｉ，ｊと、データ通信量Ｂｄｏｗｎｊ，ｉとに基づいて、上述した方法によって、稼働基地局とスリープ基地局とを決定する（ステップＳ１１）。
【０２９１】
そして、制御装置２０は、稼働基地局とスリープ基地局と消費電力ＰＡＰｊとを含む稼動／スリープリストＬＤＳを基地局１〜ｍへ送信する（ステップＳ１２）。
【０２９２】
基地局１〜ｍは、稼動／スリープリストＬＤＳを受信するとともに、稼動／スリープリストＬＤＳを端末装置１１〜１Ｋへ送信し（ステップＳ１３）、端末装置１１〜１Ｋは、稼動／スリープリストＬＤＳを受信する（ステップＳ１４）。
【０２９３】
一方、基地局１〜ｍは、稼動／スリープリストＬＤＳに従って稼働またはスリープする（ステップＳ１５）。また、端末装置１１〜１Ｋは、稼動／スリープリストＬＤＳに基づいて、稼働基地局を検知するとともに、受信信号強度ＲＳＳＩｉ，ｊが最も大きい稼働基地局または消費電力が最も少ない稼働基地局に接続先を変更する（ステップＳ１６）。消費電力が最も少ない稼働基地局に接続先を変更する場合、各端末装置１１〜１Ｋは、自己の消費電力と稼動基地局の消費電力との合計である総合消費電力が最も少ない稼動基地局に接続先を変更する。
【０２９４】
そして、ステップＳ１５，Ｓ１６の後、一連の動作が終了する。
【０２９５】
なお、制御装置２０の制御手段４２は、ステップＳ１２において、稼動／スリープリストＬＤＳを基地局１〜ｍへ送信する。そして、基地局１〜ｍは、稼動／スリープリストＬＤＳに基づいて稼動またはスリープするので、制御手段４２が稼動／スリープリストＬＤＳを基地局１〜ｍへ送信することは、決定手段４５によって稼動基地局と決定された基地局が稼動し、決定手段４５によってスリープ基地局と決定された基地局がスリープするように基地局１〜ｍを制御することに相当する。
【０２９６】
このように、この発明の実施の形態においては、制御装置２０は、基地局１〜Ｍのうち、端末装置１１〜１Ｋによってウェイクアップされた基地局１〜ｍを対象として稼動基地局とスリープ基地局とを決定し、その決定した稼動基地局とスリープ基地局とを含む稼動／スリープリストを基地局１〜ｍおよび端末装置１１〜１Ｋへ送信する。そして、基地局１〜ｍは、制御装置２０から受信した稼動／スリープリストに基づいて、稼動またはスリープし、端末装置１１〜１Ｋは、稼動／スリープリストに基づいて、稼動基地局のうち、受信信号強度ＲＳＳＩｉ，ｊが大きい稼動基地局または消費電力が少ない稼動基地局に接続先を変更する。
【０２９７】
従って、端末装置１１〜１Ｋの全てが接続可能な必要最小限の基地局を、起動している基地局１〜ｍから決定できる。
【０２９８】
図１５は、図１４に示すステップＳ１１の詳細な動作を説明するためのフローチャートである。
【０２９９】
図１５を参照して、図１４に示すステップＳ１０の後、制御装置２０の作成手段４４は、接続可能リストＣＮＬｉ、要求最低速度ＲａｔｅＭＩＮｉおよび基地局１〜ｍにおける送信速度Ｒａｔeｊ，ｉに基づいて、各端末装置１１〜１Ｋの要求最低速度ＲａｔｅＭＩＮｉを満たす基地局を接続可能な基地局とし、リンクを張る（ステップＳ１１１）。
【０３００】
その後、作成手段４４は、要求最低速度ＲａｔｅＭＩＮｉを満たす基地局が無い場合、最も高い送信速度が得られる基地局を接続可能な基地局としてリンクを張り、リンク情報ＬＫＩＦを作成する（ステップＳ１１２）。そして、作成手段４４は、リンク情報ＬＫＩＦを決定手段４５へ出力する。
【０３０１】
決定手段４５は、リンク情報ＬＫＩＦを受け、その受けたリンク情報ＬＫＩＦに基づいて、条件（Ｃｎｄ３）を満たすか否かを判定する（ステップＳ１１３）。
【０３０２】
ステップＳ１１３において、条件（Ｃｎｄ３）を満たすと判定されたとき、決定手段４５は、ある端末装置にとって、唯一の接続可能な基地局を稼働基地局とする（ステップＳ１１４）。
【０３０３】
一方、ステップＳ１１３において、条件（Ｃｎｄ３）を満たさないと判定されたとき、一連の動作は、ステップＳ１１５へ移行する。
【０３０４】
そして、ステップＳ１１４の後、またはステップＳ１１３において条件（Ｃｎｄ３）を満たさないと判定されたとき、決定手段４５は、条件（Ｃｎｄ４）を満たすか否かを判定する（ステップＳ１１５）。
【０３０５】
ステップＳ１１５において、条件（Ｃｎｄ４）を満たすと判定されたとき、決定手段４５は、稼動基地局とした基地局と接続可能である端末装置の、稼動基地局以外の基地局との無線通信リンクを削除する（ステップＳ１１６）。
【０３０６】
一方、ステップＳ１１５において、条件（Ｃｎｄ４）を満たさないと判定されたとき、一連の動作は、ステップＳ１１７へ移行する。
【０３０７】
そして、ステップＳ１１６の後、またはステップＳ１１５において条件（Ｃｎｄ４）を満たさないと判定されたとき、決定手段４５は、条件（Ｃｎｄ５）を満たすか否かを判定する（ステップＳ１１７）。
【０３０８】
ステップＳ１１７において、条件（Ｃｎｄ５）を満たすと判定されたとき、決定手段４５は、端末装置と無線通信リンクが無くなった基地局をスリープ基地局とする（ステップＳ１１８）。
【０３０９】
一方、ステップＳ１１７において、条件（Ｃｎｄ５）を満たさないと判定されたとき、一連の動作は、ステップＳ１１９へ移行する。
【０３１０】
そして、ステップＳ１１８の後、またはステップＳ１１７において、条件（Ｃｎｄ５）を満たさないと判定されたとき、決定手段４５は、条件（Ｃｎｄ６）を満たすか否かを判定する（ステップＳ１１９）。
【０３１１】
ステップＳ１１９において、条件（Ｃｎｄ６）を満たすと判定されたとき、決定手段４５は、端末装置との間で無線通信リンクを最も多く有する基地局を稼動基地局とする（ステップＳ１２０）。この場合、決定手段４５は、端末装置との間で無線通信リンク数が同数である基地局が複数存在すれば、ランダムに稼動基地局を決定する。また、決定手段４５は、端末装置との間で無線通信リンク数が同数である基地局が複数存在すれば、消費電力が最小である基地局を稼動基地局とする。
【０３１２】
そして、ステップＳ１２０の後、またはステップＳ１１９において条件（Ｃｎｄ６）を満たさないと判定されたとき、決定手段４５は、全ての基地局が稼動基地局またはスリープ基地局に決定されたか否かを判定する（ステップＳ１２１）。
【０３１３】
ステップＳ１２１において、全ての基地局が稼動基地局またはスリープ基地局に決定されていないと判定されたとき、一連の動作は、ステップＳ１１５へ戻り、ステップＳ１２１において、全ての基地局が稼動基地局またはスリープ基地局に決定されたと判定されるまで、上述したステップＳ１１５〜ステップＳ１２１が繰り返し実行される。
【０３１４】
そして、ステップＳ１２１において、全ての基地局が稼動基地局またはスリープ基地局に決定されたと判定されると、一連の動作は、図１４に示すステップＳ１２へ移行する。
【０３１５】
図１６は、図１４に示すステップＳ１１の他の詳細な動作を説明するためのフローチャートである。
【０３１６】
図１６に示すフローチャートは、図１５に示すフローチャートのステップＳ１１９，Ｓ１２０をステップＳ１１９Ａ，Ｓ１１９Ｂ，Ｓ１２０Ａ，Ｓ１２０Ｂに代えたものであり、その他は、図１５に示すフローチャートと同じである。
【０３１７】
図１６を参照して、決定手段４５は、図１４に示すステップＳ１０の後、上述したステップＳ１１１〜ステップＳ１１８を順次実行する。
【０３１８】
そして、ステップＳ１１７において、条件（Ｃｎｄ５）を満たさないと判定されたとき、またはステップＳ１１８の後、決定手段４５は、条件（Ｃｎｄ６Ａ）を満たすか否かを判定する（ステップＳ１１９Ａ）。
【０３１９】
ステップＳ１１９Ａにおいて、条件（Ｃｎｄ６Ａ）を満たすと判定されたとき、決定手段４５は、ある端末装置にとって、唯一の接続可能な基地局を稼動基地局とする（Ｓ１１９Ｂ）。
【０３２０】
一方、ステップＳ１１９Ａにおいて、条件（Ｃｎｄ６Ａ）を満たさないと判定されたとき、一連の動作は、ステップＳ１２０Ａへ移行する。
【０３２１】
そして、ステップＳ１１９Ａにおいて、条件（Ｃｎｄ６Ａ）を満たさないと判定されたとき、またはステップＳ１１９Ｂの後、決定手段４５は、条件（Ｃｎｄ６Ｂ）を満たすか否かを判定する（ステップＳ１２０Ａ）。
【０３２２】
ステップＳ１２０Ａにおいて、条件（Ｃｎｄ６Ｂ）を満たすと判定されたとき、決定手段４５は、端末装置との間で無線通信リンク数が最も少ない基地局をスリープ基地局とし、そのスリープ基地局とした基地局に接続可能な無線通信リンクを削除する（ステップＳ１２０Ｂ）。この場合、決定手段４５は、端末装置との間の無線通信リンク数が同数である基地局が複数存在すれば、ランダムにスリープ基地局を決定する。また、決定手段４５は、端末装置との間の無線通信リンク数が同数である基地局が複数存在すれば、消費電力が最も多い基地局をスリープ基地局とする。
【０３２３】
一方、ステップＳ１２０Ａにおいて、条件（Ｃｎｄ６Ｂ）を満たさないと判定されたとき、一連の動作は、ステップＳ１２１へ移行する。
【０３２４】
そして、ステップＳ１２０Ｂの後、またはステップＳ１２０Ａにおいて条件（Ｃｎｄ６Ｂ）を満たさないと判定されたとき、上述したステップＳ１２１が実行される。
【０３２５】
その後、ステップＳ１２１において、全ての基地局が稼動基地局またはスリープ基地局に決定されたと判定されるまで、上述したステップＳ１１５〜Ｓ１１８，Ｓ１１９Ａ，Ｓ１１９Ｂ，Ｓ１２０Ａ，Ｓ１２０Ｂ，Ｓ１２１が繰り返し実行される。
【０３２６】
そして、ステップＳ１２１において、全ての基地局が稼動基地局またはスリープ基地局に決定されたと判定されたとき、一連の動作は、図１４に示すステップＳ１２へ移行する。
【０３２７】
図１７は、図１４に示すステップＳ１１の更に他の詳細な動作を説明するためのフローチャートである。
【０３２８】
図１７に示すフローチャートは、図１６に示すフローチャートのステップＳ１２０ＢとステップＳ１２１との間にステップＳ１２０Ｃ，Ｓ１２０Ｄを挿入したものであり、その他は、図１６に示すフローチャートと同じである。
【０３２９】
図１７を参照して、決定手段４５は、図１４に示すステップＳ１０の後、上述したステップＳ１１１〜Ｓ１１８，Ｓ１１９Ａ，Ｓ１１９Ｂ，Ｓ１２０Ａ，Ｓ１２０Ｂを順次実行する。
【０３３０】
そして、ステップＳ１２０Ａにおいて、条件（Ｃｎｄ６Ｂ）を満たさないと判定されたとき、またはステップＳ１２０Ｂの後、決定手段４５は、条件（Ｃｎｄ６Ｃ）を満たすか否かを判定する（ステップＳ１２０Ｃ）。
【０３３１】
ステップＳ１２０Ｃにおいて、条件（Ｃｎｄ６Ｃ）を満たすと判定されたとき、決定手段４５は、現在の基地局よりも近い稼動基地局に接続先を変更する（ステップＳ１２０Ｄ）。
【０３３２】
一方、ステップＳ１２０Ｃにおいて、条件（Ｃｎｄ６Ｃ）を満たさないと判定されたとき、一連の動作は、ステップＳ１２１へ移行する。
【０３３３】
ステップＳ１２０Ｃにおいて、条件（Ｃｎｄ６Ｃ）を満たさないと判定されたとき、またはステップＳ１２０Ｄの後、上述したステップＳ１２１が実行される。
【０３３４】
その後、ステップＳ１２１において、全ての基地局が稼動基地局またはスリープ基地局に決定されたと判定されるまで、上述したステップＳ１１５〜Ｓ１１８，Ｓ１１９Ａ，Ｓ１１９Ｂ，Ｓ１２０Ａ，Ｓ１２０Ｂ，Ｓ１２０Ｃ，Ｓ１２０Ｄ，Ｓ１２１が繰り返し実行される。
【０３３５】
そして、ステップＳ１２１において、全ての基地局が稼動基地局またはスリープ基地局に決定されたと判定されたとき、一連の動作は、図１４に示すステップＳ１２へ移行する。
【０３３６】
このように、図１４に示すフローチャート（図１５〜図１７に示すフローチャートのいずれかを含む）を実行することによって、基地局１〜Ｍのうち、端末装置１１〜１Ｋによってウェイクアップされた基地局１〜ｍが起動し、その起動した基地局１〜ｍの中から、端末装置１１〜１Ｋとの間の無線通信リンクを確保するための必要最小限な個数の基地局が決定され、その必要最小限な個数の基地局だけが稼動するとともに、不要な基地局がスリープする（ステップＳ１５参照）。
【０３３７】
従って、無線通信システム１００内に存在する端末装置１１〜１Ｋの全ての無線通信を確保して無線通信システム１００における消費電力を少なくできる。
【０３３８】
また、端末装置１１〜１Ｋは、必要最小限な個数の基地局のうち、受信信号強度ＲＳＳＩｉ，ｊが最も大きい基地局に接続先を変更するので（ステップＳ１６参照）、無線通信システム１００における消費電力を低減した上で無線通信を安定して行うことができる。
【０３３９】
更に、端末装置１１〜１Ｋは、必要最小限な個数の基地局のうち、消費電力が最も少ない基地局に接続先を変更するので（ステップＳ１６参照）、無線通信システム１００における消費電力を更に少なくできる。
【０３４０】
図１８は、端末装置が無線通信システム１００から離脱したときの動作を説明するためのフローチャートである。
【０３４１】
図１８に示すフローチャートは、図１４に示すフローチャートのステップＳ１〜ステップＳ４をステップＳ２１〜ステップＳ２７に代えたものであり、その他は、図１４に示すフローチャートと同じである。
【０３４２】
図１８を参照して、基地局１〜ｍの少なくとも１つは、自己に接続していた端末装置（端末装置１１〜１Ｋの少なくとも１つ）から、一定期間、パケットを受信しないことを検知することによって、その端末装置が無線通信システム１００から離脱したことを検知する（ステップＳ２１）。
【０３４３】
そして、基地局１〜ｍの少なくとも１つは、端末装置が離脱したことを示す離脱通知ＳＥＰを制御装置２０へ送信する（ステップＳ２２）。
【０３４４】
制御装置２０は、離脱通知ＳＥＰを受信し（ステップＳ２３）、バックグランドスキャンを指示するための指示信号ＤＩＲ１を生成して送信する（ステップＳ２４）。
【０３４５】
基地局１〜ｍは、指示信号ＤＩＲ１を制御装置２０から受信し、その受信した指示信号ＤＩＲ１を既に基地局１〜ｍに接続している端末装置１１〜１Ｎ（＝端末装置１１〜１Ｋのうち、離脱した端末装置を除く端末装置、Ｎ＝１，２，３，・・・）へ送信する（ステップＳ２５）。
【０３４６】
端末装置１１〜１Ｎは、指示信号ＤＩＲ１を受信し（ステップＳ２６）、バックグランドスキャンを実行する（ステップＳ２７）。
【０３４７】
その後、上述したステップＳ５〜ステップＳ１６が順次実行される。
【０３４８】
この場合、制御装置２０の作成手段４４が端末装置１１〜１Ｎから送信された要求最低速度ＲａｔｅＭＩＮｉ、受信信号強度ＲＳＳＩｉ，ｊおよび接続可能リストＣＮＬｉに基づいて作成するリンク情報ＬＫＩＦは、「更新リンク情報」を構成する。
【０３４９】
また、端末装置１１〜１Ｎから送信される接続可能リストＣＮＬｉは、「更新された接続可能リスト」を構成する。
【０３５０】
なお、図１８においては、端末装置が無線通信システム１００から離脱した場合について説明したが、新たな端末装置が無線通信システム１００に参入した場合も、図１８に示すフローチャートに従って稼動基地局およびスリープ基地局が決定される。この場合、図１８に示すステップＳ２１，Ｓ２２，Ｓ２３における「離脱」を「参入」に読み替えればよい。
【０３５１】
このように、端末装置１１〜１Ｋのうち、一部の端末装置が無線通信システム１００から離脱すると、その離脱後、無線通信システム１００内に残った端末装置１１〜１Ｎがバックグランドスキャンを行い、要求最低速度ＲａｔｅＭＩＮｉ／接続可能リストＣＮＬｉ／受信信号強度ＲＳＳＩｉ，ｊ／消費電力ＰＳＴＡｉ，ｊを制御装置２０へ再度送信し、制御装置２０は、端末装置が離脱した後の要求最低速度ＲａｔｅＭＩＮｉ／接続可能リストＣＮＬｉ／受信信号強度ＲＳＳＩｉ，ｊ／消費電力ＰＳＴＡｉ，ｊに基づいて、稼動基地局およびスリープ基地局を決定する。そして、基地局１〜ｍは、端末装置が離脱した後の稼動／スリープリストＬＤＳに基づいて稼動またはスリープし、端末装置１１〜１Ｎは、端末装置が離脱した後の稼動／スリープリストＬＤＳに基づいて接続先の基地局を決定する。
【０３５２】
従って、端末装置が無線通信システム１００から離脱した場合も、起動している基地局１〜ｍの中から、端末装置１１〜１Ｎとの間の無線通信リンクを確保するための必要最小限な個数の基地局が決定され、その必要最小限な個数の基地局だけが稼動するとともに、不要な基地局がスリープする（図１８のステップＳ１５参照）。
【０３５３】
従って、無線通信システム１００内に存在する端末装置１１〜１Ｎの全ての無線通信を確保して無線通信システム１００における消費電力を少なくできる。
【０３５４】
また、端末装置１１〜１Ｎは、必要最小限な個数の基地局のうち、受信信号強度ＲＳＳＩｉ，ｊが最も大きい基地局に接続先を変更するので（図１８のステップＳ１６参照）、無線通信システム１００における消費電力を低減した上で無線通信を安定して行うことができる。
【０３５５】
更に、端末装置１１〜１Ｎは、必要最小限な個数の基地局のうち、消費電力が最も少ない基地局に接続先を変更するので（図１８のステップＳ１６参照）、無線通信システム１００における消費電力を更に少なくできる。
【０３５６】
なお、稼動している基地局（基地局１〜ｍの少なくとも１つ）が端末装置（端末装置１１〜１Ｋのいずれか）からプローブリクエストフレームによる接続要求を受信した場合の無線通信システム１００の動作は、図１４に示すフローチャートに従って実行される。
【０３５７】
この場合、ステップＳ１において、端末装置（端末装置１１〜１Ｋの少なくとも１つ）は、プローブリクエストフレームによる接続要求を送信し、ステップＳ２において、稼動している基地局（基地局１〜ｍの少なくとも１つ）のホストシステム１４３は、プローブリクエストフレームによる接続要求を無線通信モジュール１４１から受けると、接続要求信号ＣＤＭを生成して制御装置２０へ送信し、ステップＳ３において、制御装置２０は、接続要求信号ＣＤＭを受信する。その後、上述したステップＳ４〜Ｓ１６が順次実行される。
【０３５８】
このように、稼動している基地局がプローブリクエストフレームによる接続要求を受信すると、無線通信システム１００内の端末装置１１〜１Ｎは、要求最低速度ＲａｔｅＭＩＮｉ／接続可能リストＣＮＬｉ／受信信号強度ＲＳＳＩｉ，ｊ／消費電力ＰＳＴＡｉ，ｊを制御装置２０へ送信し、制御装置２０は、プローブリクエストフレームによる接続要求が送信された後の要求最低速度ＲａｔｅＭＩＮｉ／接続可能リストＣＮＬｉ／受信信号強度ＲＳＳＩｉ，ｊ／消費電力ＰＳＴＡｉ，ｊに基づいて、稼動基地局およびスリープ基地局を決定する。そして、基地局１〜ｍは、プローブリクエストフレームによる接続要求が送信された後の稼動／スリープリストＬＤＳに基づいて稼動またはスリープし、端末装置１１〜１Ｎは、プローブリクエストフレームによる接続要求が送信された後の稼動／スリープリストＬＤＳに基づいて接続先の基地局を決定する。
【０３５９】
従って、端末装置がプローブリクエストフレームによる接続要求を送信した場合も、起動している基地局１〜ｍの中から、端末装置１１〜１Ｎとの間の無線通信リンクを確保するための必要最小限な個数の基地局が決定され、その必要最小限な個数の基地局だけが稼動するとともに、不要な基地局がスリープする（図１４のステップＳ１５参照）。
【０３６０】
その結果、無線通信システム１００内に存在する端末装置１１〜１Ｎの全ての無線通信を確保して無線通信システム１００における消費電力を少なくできる。
【０３６１】
その他、上述した効果と同じ効果が得られる。
【０３６２】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【０３６３】
この発明は、制御装置およびそれを備えた無線通信システムに適用される。
【符号の説明】
【０３６４】
１〜Ｍ  基地局、１１〜１Ｋ  端末装置、２０  制御装置、２１，１１０  アンテナ、２２，１４１  無線通信モジュール、２３  ウェイクアップ信号送信器、２４，１４３  ホストシステム、３０  有線ケーブル、４１  受信手段、４２  制御手段、４３  記憶手段、４４  作成手段、４５  決定手段、４６  送信手段、１００  無線通信システム、１２０  切替器、１２１  スイッチ、１２２，１２３  端子、１３０  ウェイクアップ装置、１３１  ウェイクアップ信号受信器、１３２  ウェイクアップ判定器、１４０  メイン装置、１４２  有線通信モジュール、１５０  電源。
【図１】
0005789462.tif 000007
【図２】
0005789462.tif 000008
【図３】
0005789462.tif 000009
【図４】
0005789462.tif 000010
【図５】
0005789462.tif 000011
【図６】
0005789462.tif 000012
【図７】
0005789462.tif 000013
【図８】
0005789462.tif 000014
【図９】
0005789462.tif 000015
【図１０】
0005789462.tif 000016
【図１１】
0005789462.tif 000017
【図１２】
0005789462.tif 000018
【図１３】
0005789462.tif 000019
【図１４】
0005789462.tif 000020
【図１５】
0005789462.tif 000021
【図１６】
0005789462.tif 000022
【図１７】
0005789462.tif 000023
【図１８】
0005789462.tif 000024